(57)【要約】  本発明の実施形態は、データ送信を判定するための方法および装置を提供し、移動通信技術分野に関し、基地局とUEとの間の正常な通信が確保でき、それによって、基地局とUEとの間の通信効率を改善する。本方法は、通信装置により、現サブフレームが第1の時間セグメントに属することを判定するステップであって、第1の時間セグメントは、セカンダリコンポーネントキャリアに対するスケジューリングが許可される時間セグメントである、ステップと、通信装置により、現サブフレームのデータ送信を判定するステップとを含む。
2017522828.tif 000002
【特許請求の範囲】
【請求項１】
通信装置であって、
現サブフレームが第1の時間セグメントに属することを判定するように構成される判定ユニットであって、前記第1の時間セグメントは、セカンダリコンポーネントキャリアに対するスケジューリングが許可される時間セグメントである、判定ユニット
を備え、
前記判定ユニットは、前記現サブフレームのデータ送信を判定するようにさらに構成される、通信装置。
【請求項２】
前記判定ユニットは、前記現サブフレームが前記第1の時間セグメントに属し、かつ前記現サブフレームとの既定の写像関係を満足するサブフレーム1が第2の時間セグメントに属することを判定するように特に構成され、
前記第2の時間セグメントは、前記セカンダリコンポーネントキャリアに対するスケジューリングが停止される時間セグメントである、請求項1に記載の通信装置。
【請求項３】
取得ユニットをさらに備え、
前記取得ユニットは、前記判定ユニットが、前記現サブフレームが前記第1の時間セグメントに属し、かつ前記現サブフレームとの前記既定の写像関係を満足する前記サブフレーム1が前記第2の時間セグメントに属することを判定する前に、既定の第1の上りリンク／下りリンク構成を取得するように構成される、請求項2に記載の通信装置。
【請求項４】
前記写像関係は、スケジューリング関係であり、
前記判定ユニットは、
前記取得ユニットが取得した前記第1の上りリンク／下りリンク構成に従って、前記現サブフレームが第1の上りリンクサブフレームであり、かつ前記サブフレーム1が前記第1の上りリンクサブフレームとの前記スケジューリング関係を満足する第1の下りリンクサブフレームであることを判定することと、
前記取得ユニットが取得した前記第1の時間セグメントと前記第2の時間セグメントとに従って、前記第1の上りリンクサブフレームが前記第1の時間セグメントにおける上りリンクサブフレームであり、かつ前記第1の下りリンクサブフレームが前記第2の時間セグメントにおける下りリンクサブフレームであることを判定することと、
前記第1の上りリンクサブフレームにおいて下りリンクデータを送信することを判定することと、
を行うように特に構成される、請求項3に記載の通信装置。
【請求項５】
設定ユニットをさらに備え、
前記判定ユニットは、前記現サブフレームが前記第1の時間セグメントにおける第1のサブフレームであることを判定するように特に構成され、
前記設定ユニットは、前記判定ユニットが判定した前記第1のサブフレームのサブフレーム番号を既定の第2のサブフレーム番号に設定するように構成され、
前記第2のサブフレーム番号は、前記第1のサブフレームまたは前記第1のサブフレームとの既定の写像関係を満足するサブフレーム1が前記第1の時間セグメントに属することを表すために使用され、
前記判定ユニットは、前記設定ユニットが設定した前記第2のサブフレーム番号に従って、前記第1のサブフレームのデータ送信を判定するように特に構成される、請求項1に記載の通信装置。
【請求項６】
取得ユニットをさらに備え、
前記取得ユニットは、前記判定ユニットが前記現サブフレームの前記データ送信を判定する前に、第2の上りリンク／下りリンク構成を取得するように構成され、
前記判定ユニットは、前記設定ユニットが設定した前記第2のサブフレーム番号と前記取得ユニットが取得した前記第2の上りリンク／下りリンク構成とに従って、前記第1のサブフレームの前記データ送信を判定するように特に構成される、請求項5に記載の通信装置。
【請求項７】
取得ユニットをさらに備え、
前記取得ユニットは、前記判定ユニットが前記現サブフレームの前記データ送信を判定する前に、第2の上りリンク／下りリンク構成を取得するように構成され、
前記判定ユニットは、
前記現サブフレームが前記第1の時間セグメントにおける第1のサブフレームであることを判定することと、
前記取得ユニットが取得した前記第2の上りリンク／下りリンク構成に従って、前記第1のサブフレームのデータ送信を判定することと、
を行うように特に構成される、請求項1に記載の通信装置。
【請求項８】
前記通信装置は、UEであり、
前記写像関係は、フィードバック関係であり、
前記判定ユニットは、取得ユニットが取得した前記第1の時間セグメントと前記第2の時間セグメントとに従って、第1の上りリンクサブフレームが前記第1の時間セグメントにおける上りリンクサブフレームであり、かつ第2の下りリンクサブフレームが前記第2の時間セグメントにおける下りリンクサブフレームであることを判定するように特に構成され、
前記UEは、送信ユニットをさらに含み、
前記送信ユニットは、前記判定ユニットが判定した前記第1の上りリンクサブフレームにおいて上りリンクデータを基地局に送信し、かつ前記上りリンクデータを送信キャッシュに格納するように構成され、
前記判定ユニットは、前記送信ユニットが送信した前記上りリンクデータを前記基地局が正しく受信することを判定するようにさらに構成される、請求項2に記載の通信装置。
【請求項９】
前記判定ユニットは、
前記送信ユニットが送信した前記上りリンクデータを前記基地局が正しく受信しないことを判定した後、第3の下りリンクサブフレームにおいて受信されたスケジューリング情報において運ばれるキャリアインディケータフィールド（CIF）を判定することであって、前記CIFは、前記上りリンクデータのプロセスIDを運ぶ、判定することと、
前記プロセスIDに従って、前記送信ユニットが第3の上りリンクサブフレームにおいて前記上りリンクデータを前記基地局に送信することを判定することであって、前記第3の下りリンクサブフレームは、前記第2の下りリンクサブフレーム後であり、かつ前記第3の上りリンクサブフレームがスケジューリングされる下りリンクサブフレームであり、前記第3の上りリンクサブフレームは、前記第1の時間セグメントにおける、前記第1の上りリンクサブフレーム後であり、そのサブフレーム番号が前記第1の上りリンクサブフレームのサブフレーム番号に最も近い上りリンクサブフレームである、判定することと、
を行うようにさらに構成される、請求項8に記載の通信装置。
【請求項１０】
前記通信装置は、基地局であり、
前記写像関係は、フィードバック関係であり、
前記判定ユニットは、前記現サブフレームが第1の上りリンクサブフレームであり、前記サブフレーム1が前記第1の上りリンクサブフレームに対応するフィードバック情報が置かれている第2の下りリンクサブフレームであり、前記第2の下りリンクサブフレームが前記第2の時間セグメントにおける下りリンクサブフレームであることを判定するように特に構成される、請求項2に記載の通信装置。
【請求項１１】
前記基地局は、受信ユニットをさらに含み、
前記判定ユニットは、前記受信ユニットが前記第1の上りリンクサブフレームにおける上りリンクデータを正しく受信した後、前記第2の下りリンクサブフレームにおける前記フィードバック情報をUEに送信することを省略することを判定するようにさらに構成される、請求項10に記載の通信装置。
【請求項１２】
前記判定ユニットは、受信ユニットが前記第1の上りリンクサブフレームにおける上りリンクデータを正しく受信しない場合、送信ユニットが第3の下りリンクサブフレームにおいてスケジューリング情報を送信することを判定するようにさらに構成され、
前記スケジューリング情報は、第3の上りリンクサブフレームをスケジューリングするために使用され、
前記スケジューリング情報は、CIFを運び、
前記CIFは、前記上りリンクデータのプロセスIDを運ぶ、請求項10に記載の通信装置。
【請求項１３】
前記通信装置は、UEまたは基地局である、請求項1から7のいずれか一項に記載の通信装置。
【請求項１４】
通信装置であって、
現サブフレームが第1の時間セグメントに属することを判定することであって、前記第1の時間セグメントは、セカンダリコンポーネントキャリアに対するスケジューリングが許可される時間セグメントである、判定することと、
前記現サブフレームのデータ送信を判定することと、
を行うように構成されるプロセッサ
を備える通信装置。
【請求項１５】
前記プロセッサは、前記現サブフレームが前記第1の時間セグメントに属し、かつ前記現サブフレームとの既定の写像関係を満足するサブフレーム1が第2の時間セグメントに属することを判定するように特に構成され、
前記第2の時間セグメントは、前記セカンダリコンポーネントキャリアに対するスケジューリングが停止される時間セグメントである、請求項14に記載の通信装置。
【請求項１６】
前記プロセッサは、前記現サブフレームが前記第1の時間セグメントに属し、かつ前記現サブフレームとの前記既定の写像関係を満足する前記サブフレーム1が前記第2の時間セグメントに属することを判定する前に、既定の第1の上りリンク／下りリンク構成を取得するようにさらに構成される、請求項15に記載の通信装置。
【請求項１７】
前記写像関係は、スケジューリング関係であり、
前記プロセッサは、
前記第1の上りリンク／下りリンク構成に従って、前記現サブフレームが第1の上りリンクサブフレームであり、かつ前記サブフレーム1が前記第1の上りリンクサブフレームとの前記スケジューリング関係を満足する第1の下りリンクサブフレームであることを判定することと、
前記第1の時間セグメントと前記第2の時間セグメントとに従って、前記第1の上りリンクサブフレームが前記第1の時間セグメントにおける上りリンクサブフレームであり、かつ前記第1の下りリンクサブフレームが前記第2の時間セグメントにおける下りリンクサブフレームであることを判定することと、
前記第1の上りリンクサブフレームにおいて下りリンクデータを送信することを判定することと、
を行うように特に構成される、請求項16に記載の通信装置。
【請求項１８】
前記プロセッサは、
前記現サブフレームが前記第1の時間セグメントにおける第1のサブフレームであることを判定することと、
前記第1のサブフレームのサブフレーム番号を既定の第2のサブフレーム番号に設定することであって、前記第2のサブフレーム番号は、前記第1のサブフレームまたは前記第1のサブフレームとの既定の写像関係を満足するサブフレーム1が前記第1の時間セグメントに属することを表すために使用される、設定することと、
前記第2のサブフレーム番号に従って、前記第1のサブフレームのデータ送信を判定することと、
を行うように特に構成される、請求項14に記載の通信装置。
【請求項１９】
前記プロセッサは、前記現サブフレームの前記データ送信を判定する前に、第2の上りリンク／下りリンク構成を取得するようにさらに構成され、
前記プロセッサは、前記第2のサブフレーム番号と前記第2の上りリンク／下りリンク構成とに従って、前記第1のサブフレームの前記データ送信を判定するように特に構成される、請求項18に記載の通信装置。
【請求項２０】
前記プロセッサは、
前記現サブフレームの前記データ送信を判定する前に、第2の上りリンク／下りリンク構成を取得することと、
前記現サブフレームが前記第1の時間セグメントにおける第1のサブフレームであることを判定することと、
前記第2の上りリンク／下りリンク構成に従って、前記第1のサブフレームのデータ送信を判定することと、
を行うようにさらに構成される、請求項14に記載の通信装置。
【請求項２１】
前記通信装置は、UEであり、
前記写像関係は、フィードバック関係であり、
前記プロセッサは、前記第1の時間セグメントと前記第2の時間セグメントとに従って、第1の上りリンクサブフレームが前記第1の時間セグメントにおける上りリンクサブフレームであり、かつ第2の下りリンクサブフレームが前記第2の時間セグメントにおける下りリンクサブフレームであることを判定するように特に構成され、
これに伴い、前記UEは、送信機をさらに含み、
前記送信機は、前記プロセッサが判定した前記第1の上りリンクサブフレームにおいて上りリンクデータを基地局に送信し、かつ前記上りリンクデータを送信キャッシュに格納するように構成され、
前記プロセッサは、前記送信機が送信した前記上りリンクデータを前記基地局が正しく受信することを判定するようにさらに構成される、請求項15に記載の通信装置。
【請求項２２】
前記プロセッサは、
前記送信機が送信した前記上りリンクデータを前記基地局が正しく受信しないことを判定した後、第3の下りリンクサブフレームにおいて受信されたスケジューリング情報において運ばれるキャリアインディケータフィールド（CIF）を判定することであって、前記CIFは、前記上りリンクデータのプロセスIDを運ぶ、判定することと、
前記プロセスIDに従って、前記送信機が第1の上りリンクサブフレームにおいて前記上りリンクデータを前記基地局に送信することを判定することであって、前記第3の下りリンクサブフレームは、前記第2の下りリンクサブフレーム後であり、かつ第3の上りリンクサブフレームがスケジューリングされる下りリンクサブフレームであり、前記第3の上りリンクサブフレームは、前記第1の時間セグメントにおける、前記第1の上りリンクサブフレーム後であり、そのサブフレーム番号が前記第1の上りリンクサブフレームのサブフレーム番号に最も近い上りリンクサブフレームである、判定することと、
を行うようにさらに構成される、請求項21に記載の通信装置。
【請求項２３】
前記通信装置は、基地局であり、
前記写像関係は、フィードバック関係であり、
前記プロセッサは、前記現サブフレームが第1の上りリンクサブフレームであり、前記サブフレーム1が前記第1の上りリンクサブフレームに対応するフィードバック情報が置かれている第2の下りリンクサブフレームであり、前記第2の下りリンクサブフレームが前記第2の時間セグメントにおける下りリンクサブフレームであることを判定するように特に構成される、請求項15に記載の通信装置。
【請求項２４】
前記基地局は、受信機をさらに含み、
前記プロセッサは、前記受信機が前記第1の上りリンクサブフレームにおける上りリンクデータを正しく受信した後、前記第2の下りリンクサブフレームにおける前記フィードバック情報をUEに送信することを省略することを判定するようにさらに構成される、請求項23に記載の通信装置。
【請求項２５】
前記プロセッサは、受信機が前記第1の上りリンクサブフレームにおける上りリンクデータを正しく受信しない場合、送信機が第3の下りリンクサブフレームにおいてスケジューリング情報を送信することを判定するようにさらに構成され、
前記スケジューリング情報は、第3の上りリンクサブフレームをスケジューリングするために使用され、
前記スケジューリング情報は、CIFを運び、
前記CIFは、前記上りリンクデータのプロセスIDを運ぶ、請求項23に記載の通信装置。
【請求項２６】
前記通信装置は、UEまたは基地局である、請求項14から20のいずれか一項に記載の通信装置。
【請求項２７】
データ送信を判定するための方法であって、
通信装置により、現サブフレームが第1の時間セグメントに属することを判定するステップであって、前記第1の時間セグメントは、セカンダリコンポーネントキャリアに対するスケジューリングが許可される時間セグメントである、ステップと、
前記通信装置により、前記現サブフレームのデータ送信を判定するステップと、
を含む、データ送信を判定するための方法。
【請求項２８】
通信装置により、現サブフレームが第1の時間セグメントに属することを判定する前記ステップは、
前記通信装置により、前記現サブフレームが前記第1の時間セグメントに属し、かつ前記現サブフレームとの既定の写像関係を満足するサブフレーム1が第2の時間セグメントに属することを判定するステップであって、前記第2の時間セグメントは、前記セカンダリコンポーネントキャリアに対するスケジューリングが停止される時間セグメントである、ステップ
を含む、請求項27に記載のデータ送信を判定するための方法。
【請求項２９】
前記通信装置により、前記現サブフレームが前記第1の時間セグメントに属し、かつ前記現サブフレームとの既定の写像関係を満足するサブフレーム1が第2の時間セグメントに属することを判定する前記ステップの前に、
前記通信装置により、既定の第1の上りリンク／下りリンク構成を取得するステップ
をさらに含む、請求項28に記載のデータ送信を判定するための方法。
【請求項３０】
前記写像関係は、スケジューリング関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記通信装置により、前記第1の上りリンク／下りリンク構成に従って、前記現サブフレームが第1の上りリンクサブフレームであり、かつ前記サブフレーム1が前記第1の上りリンクサブフレームとの前記スケジューリング関係を満足する第1の下りリンクサブフレームであることを判定するステップと、
前記第1の時間セグメントと前記第2の時間セグメントとに従って、前記第1の上りリンクサブフレームが前記第1の時間セグメントにおける上りリンクサブフレームであり、かつ前記第1の下りリンクサブフレームが前記第2の時間セグメントにおける下りリンクサブフレームであることを判定するステップと、
を含み、
これに伴い、前記通信装置により、前記現サブフレームのデータ送信を判定する前記ステップは、
前記通信装置により、前記第1の上りリンクサブフレームにおいて下りリンクデータを送信することを判定するステップ
を含む、請求項29に記載のデータ送信を判定するための方法。
【請求項３１】
通信装置により、現サブフレームが第1の時間セグメントに属することを判定する前記ステップは、
前記通信装置により、前記現サブフレームが前記第1の時間セグメントにおける第1のサブフレームであることを判定するステップ
を含み、
これに伴い、前記通信装置により、前記現サブフレームのデータ送信を判定する前記ステップは、
前記通信装置により、前記第1のサブフレームのサブフレーム番号を既定の第2のサブフレーム番号に設定するステップであって、前記第2のサブフレーム番号は、前記第1のサブフレームまたは前記第1のサブフレームとの既定の写像関係を満足するサブフレーム1が前記第1の時間セグメントに属することを表すために使用される、ステップと、
前記通信装置により、前記第2のサブフレーム番号に従って、前記第1のサブフレームのデータ送信を判定するステップと、
を含む、請求項27に記載のデータ送信を判定するための方法。
【請求項３２】
前記通信装置により、前記現サブフレームのデータ送信を判定する前記ステップの前に、
前記通信装置により、第2の上りリンク／下りリンク構成を取得するステップ
をさらに含み、
前記通信装置により、前記現サブフレームのデータ送信を判定する前記ステップは、
前記通信装置により、前記第2のサブフレーム番号と前記第2の上りリンク／下りリンク構成とに従って、前記第1のサブフレームの前記データ送信を判定するステップ
を含む、請求項31に記載のデータ送信を判定するための方法。
【請求項３３】
前記通信装置により、前記現サブフレームのデータ送信を判定する前記ステップの前に、
前記通信装置により、第2の上りリンク／下りリンク構成を取得するステップ
をさらに含み、
通信装置により、現サブフレームが第1の時間セグメントに属することを判定する前記ステップは、
前記通信装置により、前記現サブフレームが前記第1の時間セグメントにおける第1のサブフレームであることを判定するステップ
を含み、
これに伴い、前記通信装置により、前記現サブフレームのデータ送信を判定する前記ステップは、
前記通信装置により、前記第2の上りリンク／下りリンク構成に従って、前記第1のサブフレームのデータ送信を判定するステップ
を含む、請求項27に記載のデータ送信を判定するための方法。
【請求項３４】
前記通信装置は、UEであり、
前記写像関係は、フィードバック関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記UEにより、前記第1の時間セグメントと前記第2の時間セグメントとに従って、第1の上りリンクサブフレームが前記第1の時間セグメントにおける上りリンクサブフレームであり、かつ第2の下りリンクサブフレームが前記第2の時間セグメントにおける下りリンクサブフレームであることを判定するステップ
を含み、
これに伴い、前記通信装置により、前記現サブフレームのデータ送信を判定する前記ステップは、
前記UEにより、前記第1の上りリンクサブフレームにおいて上りリンクデータを基地局に送信し、かつ前記上りリンクデータを送信キャッシュに格納するステップと、
前記UEにより、前記上りリンクデータを前記基地局が正しく受信することを判定するステップと、
を含む、請求項28に記載のデータ送信を判定するための方法。
【請求項３５】
前記UEが前記第1の上りリンクサブフレームにおいて前記上りリンクデータを前記基地局に送信し、かつ前記UEが前記上りリンクデータを前記基地局が正しく受信しないことを判定した後に、
前記UEにより、第3の下りリンクサブフレームにおいて受信されたスケジューリング情報において運ばれるキャリアインディケータフィールド（CIF）を判定するステップであって、前記CIFは、前記上りリンクデータのプロセスIDを運び、前記第3の下りリンクサブフレームは、前記第2の下りリンクサブフレーム後であり、かつ第3の上りリンクサブフレームがスケジューリングされる下りリンクサブフレームであり、前記第3の上りリンクサブフレームは、前記第1の時間セグメントにおける、前記第1の上りリンクサブフレーム後であり、そのサブフレーム番号が前記第1の上りリンクサブフレームのサブフレーム番号に最も近い上りリンクサブフレームである、ステップと、
前記UEにより、前記プロセスIDに従って、前記第3の上りリンクサブフレームにおいて前記上りリンクデータを前記基地局に送信することを判定するステップと、
をさらに含む、請求項34に記載のデータ送信を判定するための方法。
【請求項３６】
前記通信装置は、基地局であり、
前記写像関係は、フィードバック関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記基地局により、前記現サブフレームが第1の上りリンクサブフレームであり、前記サブフレーム1が前記第1の上りリンクサブフレームに対応するフィードバック情報が置かれている第2の下りリンクサブフレームであり、前記第2の下りリンクサブフレームが前記第2の時間セグメントにおける下りリンクサブフレームであることを判定するステップ
を含む、請求項28に記載のデータ送信を判定するための方法。
【請求項３７】
前記基地局により、前記基地局が前記第1の上りリンクサブフレームにおける上りリンクデータを正しく受信した後、前記第2の下りリンクサブフレームにおける前記フィードバック情報をUEに送信することを省略することを判定するステップ
をさらに含む、請求項36に記載のデータ送信を判定するための方法。
【請求項３８】
前記基地局により、前記基地局が前記第1の上りリンクサブフレームにおける上りリンクデータを正しく受信しない場合、第3の下りリンクサブフレームにおいてスケジューリング情報を送信することを判定するステップであって、前記スケジューリング情報は、第3の上りリンクサブフレームをスケジューリングするために使用され、前記スケジューリング情報は、CIFを運び、CIFは、前記上りリンクデータのプロセスIDを運ぶ、ステップ
をさらに含む、請求項36に記載のデータ送信を判定するための方法。
【請求項３９】
前記通信装置は、UEまたは基地局である、請求項27から33のいずれか一項に記載のデータ送信を判定するための方法。
【発明の詳細な説明】
【技術分野】
【０００１】
本発明は、移動通信技術の分野に関し、詳細には、データ送信を判定するための方法および装置に関する。
【背景技術】
【０００２】
LTE-TDD（Long Term Evolution-Time Division Duplexing、ロングタームエボリューション−時分割複信）システムに基づく通信ネットワークでは、複数の基地局が、同じ周波数リソースを使用する、すなわち、1つのキャリアを使用してデータを送信する。データは、基地局とUE（User Equipment、ユーザ機器）との間でTDDフレームにおいて異なるサブフレームで送信される。TDDフレームにおける上りリンクサブフレームは、上りリンクデータを送信するために使用され、TDDフレームにおける下りリンクサブフレームは、下りリンクデータを送信するために使用される。
【０００３】
従来技術では、異なる基地局が1つのセカンダリコンポーネントキャリアを使用してデータを送信する場合、これらの基地局は、基地局がセカンダリコンポーネントキャリア上でデータを送信し得る時間セグメントを取得するために互いに競合する必要がでてくる。基地局がデータを送信し得る時間セグメントを基地局が取得した後、基地局は、スケジューリング情報を送信するために使用される下りリンクサブフレームにおいてPDCCH（Physical Downlink Control Channel、物理下りリンク制御チャネル）を使用して、セカンダリコンポーネントキャリアのTDDフレームの（1つのTDDフレームにおける下りリンクサブフレームに対する上りリンクサブフレームの割合を示す）既定の上りリンク／下りリンク構成に従って、スケジューリング情報をUEに送信できる。基地局が送信したスケジューリング情報を受信した後、UEは、上りリンク／下りリンク構成とスケジューリング情報とに従って、いくつかの上りリンクサブフレームにおいて、上りリンクデータを基地局に送信できる。基地局は、上りリンク／下りリンク構成と上りリンクデータの受信に関する状況とに従って、フィードバック情報を送信するために使用される下りリンクサブフレームにおいて、上りリンクデータの受信に関する状況に対応するフィードバック情報をUEに送信する。次いで、UEは、上りリンクデータの受信に関する状況に対応するフィードバック情報に従って、いくつかの上りリンクサブフレームと同じ番号を有する次のTDDフレームにおける上りリンクサブフレームにおいて、上りリンクデータを再送するかどうかを判定する。
【０００４】
しかしながら、基地局が競合により取得する複数の時間セグメントは、不連続であり得る。したがって、スケジューリング情報を送信するために使用される上記下りリンクサブフレームが、基地局が使用できない時間セグメントに置かれ、かつUEが上りリンクデータを基地局に送信する上りリンクサブフレームが、基地局が使用できる時間セグメントに置かれている場合、基地局がスケジューリング情報をUEに送達できないために、UEは、基地局が使用できる時間セグメントにある上りリンクサブフレームにおいて、上りリンクデータを基地局に送信できない。フィードバック情報を送信するために使用される上記下りリンクサブフレームが、基地局が使用できない時間セグメントに置かれている場合、UEが上りリンクデータを基地局に送信した後、基地局は上りリンクデータの受信に関する状況に対応するフィードバック情報をUEに送信できない。結果として、基地局は、UEと正常に通信できず、基地局とUEとの間の通信効率が低下する。
【発明の概要】
【課題を解決するための手段】
【０００５】
本発明の実施形態は、データ送信を判定するための方法および装置を提供し、その結果、基地局とUEとの間の正常な通信が確保でき、それによって、基地局とUEとの間の通信効率が改善される。
【０００６】
上記の目的を達成するために、本発明の実施形態において、以下の技術的な解決策が使用される。
【０００７】
第1の実施態様によれば、本発明の一実施形態は、通信装置を提供し、通信装置は、
現サブフレームが第1の時間セグメントに属することを判定するように構成される判定ユニットであって、第1の時間セグメントは、セカンダリコンポーネントキャリアに対するスケジューリングが許可される時間セグメントである、判定ユニットを含み、
判定ユニットは、現サブフレームのデータ送信を判定するようにさらに構成される。
【０００８】
第1の実施態様の第1の可能な実施方式では、
判定ユニットは、現サブフレームが第1の時間セグメントに属し、かつ現サブフレームとの既定の写像関係を満足するサブフレーム1が第2の時間セグメントに属することを判定するように特に構成され、第2の時間セグメントは、セカンダリコンポーネントキャリアに対するスケジューリングが停止される時間セグメントである。
【０００９】
第1の実施態様の第1の可能な実施方式に関連して、第2の可能な実施方式では、通信装置は、取得ユニットをさらに含み、
取得ユニットは、判定ユニットが、現サブフレームが第1の時間セグメントに属し、かつ現サブフレームとの既定の写像関係を満足するサブフレーム1が第2の時間セグメントに属することを判定する前に、既定の第1の上りリンク／下りリンク構成を取得するように構成される。
【００１０】
第1の実施態様の第2の可能な実施方式に関連して、第3の可能な実施方式では、写像関係は、スケジューリング関係であり、
判定ユニットは、取得ユニットが取得した第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定することと、取得ユニットが取得した第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定することと、第1の上りリンクサブフレームにおいて下りリンクデータを送信することを判定することと、を行うように特に構成される。
【００１１】
第1の実施態様の第4の可能な実施方式では、通信ユニットは、設定ユニットをさらに含み、
判定ユニットは、現サブフレームが第1の時間セグメントにおける第1のサブフレームであることを判定するように特に構成され、
設定ユニットは、判定ユニットが判定した第1のサブフレームのサブフレーム番号を既定の第2のサブフレーム番号に設定するように構成され、第2のサブフレーム番号は、第1のサブフレームまたは第1のサブフレームとの既定の写像関係を満足するサブフレーム1が第1の時間セグメントに属することを表すために使用され、
判定ユニットは、設定ユニットが設定した第2のサブフレーム番号に従って、第1のサブフレームのデータ送信を判定するように特に構成される。
【００１２】
第1の実施態様の第4の可能な実施方式に関連して、第5の可能な実施方式では、通信装置は、取得ユニットをさらに含み、
取得ユニットは、判定ユニットが現サブフレームのデータ送信を判定する前に、第2の上りリンク／下りリンク構成を取得するように構成され、
判定ユニットは、設定ユニットが設定した第2のサブフレーム番号と取得ユニットが取得した第2の上りリンク／下りリンク構成とに従って、第1のサブフレームのデータ送信を判定するように特に構成される。
【００１３】
第1の実施態様の第6の可能な実施方式では、通信装置は、取得ユニットをさらに含み、
取得ユニットは、判定ユニットが現サブフレームのデータ送信を判定する前に、第2の上りリンク／下りリンク構成を取得するように構成され、
判定ユニットは、現サブフレームが第1の時間セグメントにおける第1のサブフレームであることを判定することと、取得ユニットが取得した第2の上りリンク／下りリンク構成に従って、第1のサブフレームのデータ送信を判定することと、を行うように特に構成される。
【００１４】
第1の実施態様の第1の可能な実施方式に関連して、第7の可能な実施方式では、通信装置はUEであり、写像関係はフィードバック関係であり、
判定ユニットは、取得ユニットが取得した第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定するように特に構成され、
UEは、送信ユニットをさらに含み、
送信ユニットは、判定ユニットが判定した第1の上りリンクサブフレームにおいて上りリンクデータを基地局に送信することと、上りリンクデータを送信キャッシュに格納することと、を行うように構成され、
判定ユニットは、送信ユニットが送信した上りリンクデータを基地局が正しく受信することを判定するようにさらに構成される。
【００１５】
第1の実施態様の第7の可能な実施方式に関連して、第8の可能な実施方式では、
判定ユニットは、送信ユニットが送信した上りリンクデータを基地局が正しく受信しないことを判定した後、第3の下りリンクサブフレームにおいて受信されたスケジューリング情報において運ばれるキャリアインディケータフィールド（CIF）を判定することであって、CIFは、上りリンクデータのプロセスIDを運ぶ、判定することと、プロセスIDに従って、送信ユニットが第3の上りリンクサブフレームにおいて上りリンクデータを基地局に送信することを判定することであって、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである、判定することと、を行うようにさらに構成される。
【００１６】
第1の実施態様の第1の可能な実施方式に関連して、第9の可能な実施方式では、通信装置は基地局であり、写像関係はフィードバック関係であり、
判定ユニットは、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定するように特に構成される。
【００１７】
第1の実施態様の第9の可能な実施方式に関連して、第10の可能な実施方式では、基地局は、受信ユニットをさらに含み、
判定ユニットは、受信ユニットが第1の上りリンクサブフレームにおける上りリンクデータを正しく受信した後、第2の下りリンクサブフレームにおいてフィードバック情報をUEに送信することを省略することを判定することを行うようにさらに構成される。
【００１８】
第1の実施態様の第9の可能な実施方式に関連して、第11の可能な実施方式では、
判定ユニットは、受信ユニットが第1の上りリンクサブフレームにおける上りリンクデータを正しく受信しない場合、送信ユニットが第3の下りリンクサブフレームにおいてスケジューリング情報を送信することを判定することを行うようにさらに構成され、スケジューリング情報は、第3の上りリンクサブフレームをスケジューリングするために使用され、スケジューリング情報は、CIFを運び、CIFは、上りリンクデータのプロセスIDを運ぶ。
【００１９】
上記第1の実施態様または第1の実施態様の第1から第6の可能な実施方式のうちのいずれか1つに関連して、第12の可能な実施方式では、
通信装置は、UEまたは基地局である。
【００２０】
第2の実施態様によれば、本発明の一実施形態は、通信装置を提供し、通信装置は、
現サブフレームが第1の時間セグメントに属することを判定することであって、第1の時間セグメントは、セカンダリコンポーネントキャリアに対するスケジューリングが許可される時間セグメントである、判定することと、現サブフレームのデータ送信を判定することと、を行うように構成されるプロセッサを含む。
【００２１】
第2の実施態様の第1の可能な実施方式では、
プロセッサは、現サブフレームが第1の時間セグメントに属し、かつ現サブフレームとの既定の写像関係を満足するサブフレーム1が第2の時間セグメントに属することを判定するように特に構成され、第2の時間セグメントは、セカンダリコンポーネントキャリアに対するスケジューリングが停止される時間セグメントである。
【００２２】
第2の実施態様の第1の可能な実施方式に関連して、第2の可能な実施方式では、
プロセッサは、現サブフレームが第1の時間セグメントに属し、かつ現サブフレームとの既定の写像関係を満足するサブフレーム1が第2の時間セグメントに属することを判定する前に、既定の第1の上りリンク／下りリンク構成を取得するようにさらに構成される。
【００２３】
第2の実施態様の第2の可能な実施方式に関連して、第3の可能な実施方式では、写像関係は、スケジューリング関係であり、
プロセッサは、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定することと、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定することと、第1の上りリンクサブフレームにおいて下りリンクデータを送信することを判定することと、を行うように特に構成される。
【００２４】
第2の実施態様の第4の可能な実施方式では、
プロセッサは、現サブフレームが第1の時間セグメントにおける第1のサブフレームであることを判定することと、第1のサブフレームのサブフレーム番号を既定の第2のサブフレーム番号に設定することであって、第2のサブフレーム番号は、第1のサブフレームまたは第1のサブフレームとの既定の写像関係を満足するサブフレーム1が第1の時間セグメントに属することを表すために使用される、設定することと、第2のサブフレーム番号に従って、第1のサブフレームのデータ送信を判定することと、を行うように特に構成される。
【００２５】
第2の実施態様の第4の可能な実施方式に関連して、第5の可能な実施方式では、
プロセッサは、現サブフレームのデータ送信を判定する前に、第2の上りリンク／下りリンク構成を取得するようにさらに構成され、
プロセッサは、第2のサブフレーム番号と第2の上りリンク／下りリンク構成とに従って、第1のサブフレームのデータ送信を判定するように特に構成される。
【００２６】
第2の実施態様の第6の可能な実施方式では、
プロセッサは、現サブフレームのデータ送信を判定する前に、第2の上りリンク／下りリンク構成を取得することと、現サブフレームが第1の時間セグメントにおける第1のサブフレームであることを判定することと、第2の上りリンク／下りリンク構成に従って、第1のサブフレームのデータ送信を判定することと、を行うようにさらに構成される。
【００２７】
第2の実施態様の第1の可能な実施方式に関連して、第7の可能な実施方式では、通信装置はUEであり、写像関係はフィードバック関係であり、
プロセッサは、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定するように特に構成され、
これに伴い、UEは、送信機をさらに含み、
送信機は、プロセッサが判定した第1の上りリンクサブフレームにおいて上りリンクデータを基地局に送信することと、上りリンクデータを送信キャッシュに格納することとを行うように構成され、
プロセッサは、送信機が送信した上りリンクデータを基地局が正しく受信することを判定するようにさらに構成される。
【００２８】
第2の実施態様の第7の可能な実施方式に関連して、第8の可能な実施方式では、
プロセッサは、送信機が送信した上りリンクデータを基地局が正しく受信しないことを判定した後、第3の下りリンクサブフレームにおいて受信されたスケジューリング情報において運ばれるキャリアインディケータフィールド（CIF）を判定することであって、CIFは、上りリンクデータのプロセスIDを運ぶ、判定することと、プロセスIDに従って、送信機が第1の上りリンクサブフレームにおいて上りリンクデータを基地局に送信することを判定することであって、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである、判定することと、を行うようにさらに構成される。
【００２９】
第2の実施態様の第1の可能な実施方式に関連して、第9の可能な実施方式では、通信装置は基地局であり、写像関係はフィードバック関係であり、
プロセッサは、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定するように特に構成される。
【００３０】
第2の実施態様の第9の可能な実施方式に関連して、第10の可能な実施方式では、基地局は、受信機をさらに含み、
プロセッサは、受信機が第1の上りリンクサブフレームにおける上りリンクデータを正しく受信した後、第2の下りリンクサブフレームにおいてフィードバック情報をUEに送信することを省略することを判定するようにさらに構成される。
【００３１】
第2の実施態様の第9の可能な実施方式に関連して、第11の可能な実施方式では、
プロセッサは、受信機が第1の上りリンクサブフレームにおける上りリンクデータを正しく受信しない場合、送信機が第3の下りリンクサブフレームにおいてスケジューリング情報を送信することを判定するようにさらに構成され、スケジューリング情報は、第3の上りリンクサブフレームをスケジューリングするために使用され、スケジューリング情報は、CIFを運び、CIFは、上りリンクデータのプロセスIDを運ぶ。
【００３２】
上記第2の実施態様または第2の実施態様の第1から第6の可能な実施方式のうちのいずれか1つに関連して、第12の可能な実施方式では、
通信装置は、UEまたは基地局である。
【００３３】
第3の実施態様によれば、本発明の一実施形態は、データ送信を判定するための方法を提供し、方法は、
通信装置によって、現サブフレームが第1の時間セグメントに属することを判定するステップであって、第1の時間セグメントは、セカンダリコンポーネントキャリアに対するスケジューリングが許可される時間セグメントである、ステップと、
通信装置によって、現サブフレームのデータ送信を判定するステップと、を含む。
【００３４】
第3の実施態様の第1の可能な実施方式では、通信装置によって、現サブフレームが第1の時間セグメントに属することを判定するステップは、
通信装置によって、現サブフレームが第1の時間セグメントに属し、かつ現サブフレームとの既定の写像関係を満足するサブフレーム1が第2の時間セグメントに属することを判定するステップであって、第2の時間セグメントは、セカンダリコンポーネントキャリアに対するスケジューリングが停止される時間セグメントである、ステップを含む。
【００３５】
第3の実施態様の第1の可能な実施方式に関連して、第2の可能な実施方式では、通信装置によって、現サブフレームが第1の時間セグメントに属し、かつ現サブフレームとの既定の写像関係を満足するサブフレーム1が第2の時間セグメントに属することを判定するステップの前に、本方法は、
通信装置によって、既定の第1の上りリンク／下りリンク構成を取得するステップをさらに含む。
【００３６】
第3の実施態様の第2の可能な実施方式に関連して、第3の可能な実施方式では、写像関係は、スケジューリング関係であり、
通信装置によって、現サブフレームが第1の時間セグメントに属し、かつ現サブフレームとの既定の写像関係を満足するサブフレーム1が第2の時間セグメントに属することを判定するステップは、
通信装置によって、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定するステップと、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定するステップと、を含み、
これに伴い、通信装置によって、現サブフレームのデータ送信を判定するステップは、
通信装置によって、第1の上りリンクサブフレームにおいて下りリンクデータを送信することを判定するステップを含む。
【００３７】
第3の実施態様の第4の可能な実施方式では、通信装置によって、現サブフレームが第1の時間セグメントに属することを判定するステップは、
通信装置によって、現サブフレームが第1の時間セグメントにおける第1のサブフレームであることを判定するステップを含み、
これに伴い、通信装置によって、現サブフレームのデータ送信を判定するステップは、
通信装置によって、第1のサブフレームのサブフレーム番号を既定の第2のサブフレーム番号に設定するステップであって、第2のサブフレーム番号は、第1のサブフレームまたは第1のサブフレームとの既定の写像関係を満足するサブフレーム1が第1の時間セグメントに属することを表すために使用される、ステップと、
通信装置によって、第2のサブフレーム番号に従って、第1のサブフレームのデータ送信を判定するステップと、を含む。
【００３８】
第3の実施態様の第4の可能な実施方式に関連して、第5の可能な実施方式では、通信装置によって、現サブフレームのデータ送信を判定するステップの前に、本方法は、
通信装置によって、第2の上りリンク／下りリンク構成を取得するステップをさらに含み、
通信装置によって、現サブフレームのデータ送信を判定するステップは、
通信装置によって、第2のサブフレーム番号と第2の上りリンク／下りリンク構成とに従って、第1のサブフレームのデータ送信を判定するステップを含む。
【００３９】
第3の実施態様の第6の可能な実施方式では、通信装置によって、現サブフレームのデータ送信を判定するステップの前に、本方法は、
通信装置によって、第2の上りリンク／下りリンク構成を取得するステップをさらに含み、
通信装置によって、現サブフレームが第1の時間セグメントに属することを判定するステップは、
通信装置によって、現サブフレームが第1の時間セグメントにおける第1のサブフレームであることを判定するステップを含み、
これに伴い、通信装置によって、現サブフレームのデータ送信を判定するステップは、
通信装置によって、第2の上りリンク／下りリンク構成に従って、第1のサブフレームのデータ送信を判定するステップを含む。
【００４０】
第3の実施態様の第1の可能な実施方式に関連して、第7の可能な実施方式では、通信装置はUEであり、写像関係はフィードバック関係であり、
通信装置によって、現サブフレームが第1の時間セグメントに属し、かつ現サブフレームとの既定の写像関係を満足するサブフレーム1が第2の時間セグメントに属することを判定するステップは、
UEによって、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定するステップを含み、
これに伴い、通信装置によって、現サブフレームのデータ送信を判定するステップは、
UEによって、第1の上りリンクサブフレームにおいて上りリンクデータを基地局に送信し、かつ上りリンクデータを送信キャッシュに格納するステップと、
UEによって、上りリンクデータを基地局が正しく受信することを判定するステップと、を含む。
【００４１】
第3の実施態様の第7の可能な実施方式に関連して、第8の可能な実施方式では、UEが第1の上りリンクサブフレームにおいて上りリンクデータを基地局に送信し、かつUEが上りリンクデータを基地局が正しく受信しないことを判定した後に、本方法は、
UEによって、第3の下りリンクサブフレームにおいて受信されたスケジューリング情報において運ばれるキャリアインディケータフィールド（CIF）を判定するステップであって、CIFは、上りリンクデータのプロセスIDを運び、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである、ステップと、
UEによって、プロセスIDに従って、第3の上りリンクサブフレームにおいて上りリンクデータを基地局に送信することを判定するステップと、をさらに含む。
【００４２】
第3の実施態様の第1の可能な実施方式に関連して、第9の可能な実施方式では、通信装置は基地局であり、写像関係はフィードバック関係であり、通信装置によって、現サブフレームが第1の時間セグメントに属し、かつ現サブフレームとの既定の写像関係を満足するサブフレーム1が第2の時間セグメントに属することを判定するステップは、
基地局によって、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定するステップを含む。
【００４３】
第3の実施態様の第9の可能な実施方式に関連して、第10の可能な実施方式では、本方法は、
基地局によって、基地局が第1の上りリンクサブフレームにおける上りリンクデータを正しく受信した後、第2の下りリンクサブフレームにおいてフィードバック情報をUEに送信することを省略することを判定するステップをさらに含む。
【００４４】
第3の実施態様の第9の可能な実施方式に関連して、第11の可能な実施方式では、本方法は、
基地局によって、基地局が第1の上りリンクサブフレームにおける上りリンクデータを正しく受信しない場合、第3の下りリンクサブフレームにおいてスケジューリング情報を送信することを判定するステップであって、スケジューリング情報は、第3の上りリンクサブフレームをスケジューリングするために使用され、スケジューリング情報は、CIFを運び、CIFは、上りリンクデータのプロセスIDを運ぶ、ステップをさらに含む。
【００４５】
上記第3の実施態様または第3の実施態様の第1から第6の可能な実施方式のうちのいずれか1つに関連して、第12の可能な実施方式では、
通信装置は、UEまたは基地局である。
【００４６】
本発明の実施形態は、データ送信を判定するための方法および装置を提供する。通信装置が、現サブフレームが第1の時間セグメントに属することを判定した場合、通信装置は、現サブフレームのデータ送信を判定し、第1の時間セグメントは、セカンダリコンポーネントキャリアに対するスケジューリングが許可される時間セグメント、すなわち、周波数リソースが利用可能である時間セグメントである。周波数リソースが利用可能である時間セグメントにおける、すべてのサブフレームにおいて正常なデータ送信が行われ得ることを判定することによって、通信装置は、基地局とUEとの間で正常な通信を確保し、それによって、基地局とUEとの間の通信効率が改善される。
【００４７】
本発明の実施形態における、または従来技術における技術的解決策をより明確に説明するために、以下、各実施形態または従来技術を説明するのに必要とされる添付の図面について簡単に記述する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００４８】
【図１】従来技術によるサブフレームの第1の概略的な構造図である。
【図２】本発明の一実施形態による、通信装置の第1の概略的な構造図である。
【図３】本発明の一実施形態による、通信装置の第2の概略的な構造図である。
【図４】本発明の一実施形態による、通信装置の第3の概略的な構造図である。
【図５】本発明の一実施形態による、通信装置の第4の概略的な構造図である。
【図６】本発明の一実施形態による、通信装置の第5の概略的な構造図である。
【図７】本発明の一実施形態による、通信装置の第6の概略的な構造図である。
【図８】本発明の一実施形態による、データ送信を判定するための方法の第1の流れ図である。
【図９】本発明の一実施形態による、サブフレームの第2の概略的な構造図である。
【図１０】本発明の一実施形態による、データ送信を判定するための方法の第2の流れ図である。
【図１１】本発明の一実施形態による、データ送信を判定するための方法の第3の流れ図である。
【図１２】本発明の一実施形態による、サブフレームの第3の概略的な構造図である。
【図１３】本発明の一実施形態による、データ送信を判定するための方法の第4の流れ図である。
【図１４】本発明の一実施形態による、データ送信を判定するための方法の第5の流れ図である。
【図１５】本発明の一実施形態による、データ送信を判定するための方法の第6の流れ図である。
【図１６】本発明の一実施形態による、サブフレームの第4の概略的な構造図である。
【図１７】本発明の一実施形態による、データ送信を判定するための方法の第7の流れ図である。
【発明を実施するための形態】
【００４９】
以下、本発明の実施形態における添付の図面を参照しながら、本発明の実施形態における技術的な解決策を明確かつ完全に説明する。当然のことながら、説明される実施形態は、単に本発明の実施形態の一部に過ぎず、すべてではない。本発明の実施形態に基づいて、当業者によって創造的努力なしに得られるすべての他の実施形態は、本発明の保護範囲内に含まれるものとする。
【００５０】
本明細書において説明される様々な技術は、様々な無線通信システム、例えば現行の2Gおよび3G通信システムならびに次世代通信システム、例えば、汎欧州デジタル移動電話方式（GSM（登録商標）、global system for mobile communications）、符号分割多元接続（CDMA、code division multiple access）システム、時分割多元接続（TDMA、time division multiple access）システム、広帯域符号分割多元接続（WCDMA（登録商標）、wideband code division multiple access wireless）、周波数分割多元接続（FDMA、frequency division multiple addressing）システム、直交周波数分割多元接続（OFDMA、orthogonal frequency-division multiple access）システム、シングルキャリアFDMA（SC-FDMA）システム、汎用パケット無線サービス（GPRS、general packet radio service）システム、ロングタームエボリューション（LTE、long term evolution）、ならびに他の通信システムシステムに適用できる。
【００５１】
UE（User Equipment、ユーザ機器）は、無線端末であってよい。無線端末は、ユーザに音声および／またはデータ接続性を提供する装置、無線接続機能を有する携帯機器、あるいは他の無線モデムに接続された処理装置を指し得る。無線端末は、無線アクセスネットワーク（RAN、Radio Access Networkなど）を通じて1つ以上のコアネットワークと通信できる。無線端末は、携帯電話（「セルラー」電話とも呼ぶ）などのモバイル端末およびモバイル端末を内蔵したコンピュータであってよく、例えば、無線アクセスネットワークで音声および／またはデータを交換する、ポータブル、ポケット型、携帯用、コンピュータ内蔵、もしくは車両搭載モバイル機器であってよい。例えば、これは、パーソナル通信サービス（PCS、personal communication service）電話、コードレス電話機、Session Initiation Protocol（SIP）電話、無線ローカルループ（WLL、wireless local loop）局、または携帯情報端末（PDA、personal digital assistant）などの装置であってよい。無線端末はまた、システム、加入者ユニット（subscriber unit）、加入者局（subscriber station）、移動局（mobile station）、モバイル端末（mobile）、リモートステーション（remote station）、アクセスポイント（access point）、リモート端末（remote terminal）、アクセス端末（access terminal）、ユーザ端末（user terminal）、ユーザエージェント（user agent）、またはユーザ機器（user equipment）と呼ばれることもある。
【００５２】
基地局は、eNB（evolved Node B、発展形NodeB）、RNC（Radio Network Controller、無線ネットワーク制御装置）、またはBSC（Base Station Controller、基地局制御装置）、すなわち、アクセスネットワーク装置であってよい。
【００５３】
具体的には、移動通信システムにおけるPS（Packet Switch、パケット交換）ドメインを一例として用いる。3Gでは、基地局は、RNCである。4G（4th Generation、移動通信技術の第4世代）では、基地局は、eNBである。2G（2nd Generation、移動通信技術の第2世代）では、基地局は、BSCである。移動通信システムにおけるCS（Circuit Switch、回線交換）ドメインを一例として用いる。3G／2Gでは、基地局は、RNC（3G）／BSC（2G）である。
【００５４】
LTE-TDDシステムは、異なる上りリンク／下りリンク構成（1つのTDDフレームにおける下りリンクサブフレームに対する上りリンクサブフレームの割合を示す）を支持し得る。異なる上りリンク／下りリンク構成に対応して、基地局は、上りリンクデータに対応するスケジューリング情報をスケジューリングするための異なるタイミング関係と、上りリンクデータに対応するフィードバック情報をフィードバックするための異なるタイミング関係と、上りリンクデータに対応するスケジューリング情報を再送するための異なるタイミング関係と、を設定し得る。異なる上りリンク／下りリンク構成では、基地局は、スケジューリング情報の設定されたタイミング関係に従って、スケジューリング情報を送信するために使用される下りリンクサブフレームとの、スケジューリング情報のタイミング関係を満足する上りリンクサブフレームにおいて、上りリンクデータを送信し、フィードバック情報の設定されたタイミング関係に従って、上りリンクデータを送信するために使用される上りリンクサブフレームとのフィードバックタイミング関係を満足する下りリンクサブフレームにおいて、フィードバック情報を送信する。
【００５５】
例示的には、図1に示すように、キャリアによって支持されるTDDフレームにおける上りリンク／下りリンク構成は、下りリンク：上りリンク＝3：2であることを一例として用いる。2の番号を付与したサブフレーム、3の番号を付与したサブフレーム、7の番号を付与したサブフレーム、および8の番号を付与したサブフレームが、上りリンクサブフレームであり、0の番号を付与したサブフレーム、1の番号を付与したサブフレーム、4の番号を付与したサブフレーム、5の番号を付与したサブフレーム、6の番号を付与したサブフレーム、および9の番号を付与したサブフレームが、下りリンクサブフレームである。上りリンク／下りリンク構成に従って、基地局は、1の番号を付与した第1のサブフレームにおいて、7の番号を付与した第1のサブフレームをスケジューリングするためのスケジューリング情報をUEに送信し、4の番号を付与した第1のサブフレームにおいて、8の番号を付与した第1のサブフレームをスケジューリングするためのスケジューリング情報をUEに送信する。UEは、スケジューリング情報に従って、7の番号を付与した第1のサブフレームと8の番号を付与した第1のサブフレームとにおいて、上りリンクデータを基地局に別途送信する。基地局は、1の番号を付与した第2のサブフレームにおいてフィードバック情報を送信しと、4の番号を付与した第2のサブフレームにおけるフィードバック情報とをUEに送信する。UEは、フィードバック情報に従って、7の番号を付与した第2のサブフレームと8の番号を付与した第2のサブフレームとにおいて、上りリンクデータを基地局に別途再送するかどうかを判定する。図1では、UEが7の番号を付与した第1のサブフレームにおいて送信した上りリンクデータを基地局が正しく受信しないことが、1の番号を付与した第2のサブフレームにおいてフィードバックされ、1の番号を付与した第2のサブフレームのフィードバック情報は、NACKであり、UEが8の番号を付与した第1のサブフレームにおいて送信した上りリンクデータを基地局が正しく受信したことが、4の番号を付与した第2のサブフレームにおいてフィードバックされ、4の番号を付与した第2のサブフレームのフィードバック情報は、ACKである、ことがわかる。
【００５６】
図1のKは、写像関係を満足する2つのサブフレームの間のタイミングアドバンスであることに留意されたい。例えば、写像関係がスケジューリング関係である場合、1の番号を付与した第1のサブフレームと7の番号を付与した第1のサブフレームとの間のタイミングアドバンスは、K＝6である、すなわち、1の番号を付与した第1のサブフレームのサブフレーム番号とはサブフレーム番号が6だけ異なる7の番号を付与したサブフレームが、1の番号を付与した第1のサブフレームにスケジューリングされる、すなわち、1＋6＝7である。基地局は、1の番号を付与した第1のサブフレームにおいてPDCCHを使用して、7の番号を付与した第1のサブフレームをスケジューリングするためのスケジューリング情報を送信する。
【００５７】
実施形態1
図2に示すように、本発明の本実施形態は、通信装置1を提供し、通信装置1は、
現サブフレームが第1の時間セグメントに属することを判定することであって、第1の時間セグメントは、セカンダリコンポーネントキャリアに対するスケジューリングが許可される時間セグメントである、判定することと、現サブフレームのデータ送信を判定することと、を行うように構成される判定ユニット10
を備える。
【００５８】
場合により、判定ユニット10は、現サブフレームが第1の時間セグメントに属し、かつ現サブフレームとの既定の写像関係を満足するサブフレーム1が第2の時間セグメントに属することを判定するように特に構成され、第2の時間セグメントは、セカンダリコンポーネントキャリアに対するスケジューリングが停止される時間セグメントである。
【００５９】
場合により、図3に示すように、通信装置1は、取得ユニット11をさらに含む。
【００６０】
取得ユニット11は、判定ユニット10が、現サブフレームが第1の時間セグメントに属し、かつ現サブフレームとの既定の写像関係を満足するサブフレーム1が第2の時間セグメントに属することを判定する前に、第1の上りリンク／下りリンク構成を取得するように構成される。
【００６１】
場合により、写像関係は、スケジューリング関係である。
【００６２】
判定ユニット10は、取得ユニット11が取得した第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定することと、取得ユニット11が取得した第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定することと、第1の上りリンクサブフレームにおいて下りリンクデータを送信することを判定することと、を行うように特に構成される。
【００６３】
場合により、図4に示すように、通信装置1は、設定ユニット12をさらに含む。
【００６４】
判定ユニット10は、現サブフレームが第1の時間セグメントにおける第1のサブフレームであることを判定するように特に構成される。
【００６５】
設定ユニット12は、判定ユニット10が判定した第1のサブフレームのサブフレーム番号を第2のサブフレーム番号に設定するように構成され、第2のサブフレーム番号は、第1のサブフレームまたは第1のサブフレームとの既定の写像関係を満足するサブフレーム1が第1の時間セグメントに属することを表すために使用される。
【００６６】
判定ユニット10は、設定ユニット12が設定した第2のサブフレーム番号に従って、第1のサブフレームのデータ送信を判定するように特に構成される。
【００６７】
場合により、図3に示すように、通信装置1は、取得ユニット11をさらに含む。
【００６８】
取得ユニット11は、判定ユニット10が現サブフレームのデータ送信を判定する前に、第2の上りリンク／下りリンク構成を取得するように構成される。
【００６９】
判定ユニット10は、設定ユニット12が設定した第2のサブフレーム番号と取得ユニット11が取得した第2の上りリンク／下りリンク構成とに従って、第1のサブフレームのデータ送信を判定するように特に構成される。
【００７０】
場合により、図3に示すように、通信装置1は、取得ユニット11をさらに含む。
【００７１】
取得ユニット11は、判定ユニット10が現サブフレームのデータ送信を判定する前に、第2の上りリンク／下りリンク構成を取得するように構成される。
【００７２】
判定ユニット10は、現サブフレームが第1の時間セグメントにおける第1のサブフレームであることを判定することと、取得ユニット11が取得した第2の上りリンク／下りリンク構成に従って、第1のサブフレームのデータ送信を判定することと、を行うように特に構成される。
【００７３】
場合により、通信装置はUEであり、写像関係はフィードバック関係である。
【００７４】
判定ユニット10は、取得ユニット11が取得した第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定するように特に構成される。
【００７５】
これに伴い、図5に示すように、通信装置1がUEである場合、通信装置1は、送信ユニット13をさらに備える。
【００７６】
送信ユニット13は、判定ユニット10が判定した第1の上りリンクサブフレームにおいて上りリンクデータを基地局に送信し、かつ上りリンクデータを送信キャッシュに格納するように構成される。
【００７７】
判定ユニット10は、送信ユニット13が送信した上りリンクデータを基地局が正しく受信することを判定するようにさらに構成される。
【００７８】
場合により、判定ユニット10は、送信ユニット13が送信した上りリンクデータを基地局が正しく受信しないことを判定した後、第3の下りリンクサブフレームにおいて受信されたスケジューリング情報において運ばれるCIFを判定することであって、CIFは、上りリンクデータのプロセスIDを運ぶ、判定することと、プロセスIDに従って、送信ユニット13が第3の上りリンクサブフレームにおいて上りリンクデータを基地局に送信することを判定することであって、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである、判定することと、を行うようにさらに構成される。
【００７９】
場合により、通信装置1は基地局であり、写像関係はフィードバック関係である。
【００８０】
判定ユニット10は、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定するように特に構成される。
【００８１】
場合により、図6に示すように、通信装置1が基地局である場合、通信装置1は、受信ユニット14をさらに備える。
【００８２】
判定ユニット10は、受信ユニット14が第1の上りリンクサブフレームにおける上りリンクデータを正しく受信した後、第2の下りリンクサブフレームにおけるフィードバック情報をUEに送信することを省略することを判定するようにさらに構成される。
【００８３】
場合により、判定ユニット10は、受信ユニット14が第1の上りリンクサブフレームにおける上りリンクデータを正しく受信しない場合、送信ユニット13が第3の下りリンクサブフレームにおいてスケジューリング情報を送信することを判定するようにさらに構成され、スケジューリング情報は、第3の上りリンクサブフレームをスケジューリングするために使用され、スケジューリング情報は、CIFを運び、CIFは、上りリンクデータのプロセスIDを運ぶ。
【００８４】
場合により、通信装置1は、UEまたは基地局である。
【００８５】
本発明の本実施形態は、通信装置を提供する。通信装置が、現サブフレームが第1の時間セグメントに属することを判定した場合、通信装置は、現サブフレームのデータ送信を判定し、第1の時間セグメントは、セカンダリコンポーネントキャリアに対するスケジューリングが許可される時間セグメント、すなわち、周波数リソースが利用可能である時間セグメントである。周波数リソースが利用可能である時間セグメントにおける、すべてのサブフレームにおいて正常なデータ送信が行われ得ることを判定することによって、通信装置は、基地局とUEとの間で正常な通信を確保し、それによって、基地局とUEとの間の通信効率が改善される。
【００８６】
実施形態2
図7に示すように、本発明の本実施形態は、通信装置を提供し、送信機15と、受信機16と、プロセッサ17と、メモリ18とを備える。送信機15と受信機16とメモリ18とのすべては、プロセッサ17に接続される、例えば、送信機15と受信機16とメモリ18とのすべては、バスを用いてプロセッサ17に接続され得る。
【００８７】
受信機16と送信機15とを一体化して送受信機を形成してもよい。
【００８８】
メモリ18は、実行可能プログラムコードを格納するように構成され、プログラムコードは、コンピュータ操作命令を含む。メモリ18は、高速RAMメモリを含んでもよく、また、少なくとも1つの磁気ディスクメモリなどの不揮発性メモリ（non-volatile memory）をさらに含んでもよい。
【００８９】
プロセッサ17は、中央処理装置または特定用途向け集積回路であってもよいし、本発明の実施形態を実装する1つ以上の集積回路として構成されてもよい。
【００９０】
具体的には、プロセッサ17は、現サブフレームが第1の時間セグメントに属することを判定することであって、第1の時間セグメントは、セカンダリコンポーネントキャリアに対するスケジューリングが許可される時間セグメントである、判定することと、現サブフレームのデータ送信を判定することと、を行うように構成されてよく、送信機15は、データを送信するように構成されてよく、受信機16は、データを受信するように構成されてよく、メモリ18は、セカンダリコンポーネントキャリアに対するスケジューリングが許可される時間セグメントに関する情報のソフトウェアコードと、上記のプロセスを完了するように通信装置を制御するソフトウェアプログラムとを格納するように構成されてよく、その結果、プロセッサ17は、上記ソフトウェアプログラムを実行し、かつ上記ソフトウェアコードを呼び出すことによって、上記プロセスを完了する。
【００９１】
場合により、プロセッサ17は、現サブフレームが第1の時間セグメントに属し、かつ現サブフレームとの既定の写像関係を満足するサブフレーム1が第2の時間セグメントに属することを判定するように特に構成され、第2の時間セグメントは、セカンダリコンポーネントキャリアに対するスケジューリングが停止される時間セグメントである。
【００９２】
場合により、プロセッサ17は、現サブフレームが第1の時間セグメントに属し、かつ現サブフレームとの既定の写像関係を満足するサブフレーム1が第2の時間セグメントに属することを判定する前に、既定の第1の上りリンク／下りリンク構成を取得するようにさらに構成される。
【００９３】
場合により、写像関係は、スケジューリング関係である。
【００９４】
プロセッサ17は、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定することと、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定することと、第1の上りリンクサブフレームにおいて下りリンクデータを送信することを判定することと、を行うように特に構成される。
【００９５】
場合により、プロセッサ17は、現サブフレームが第1の時間セグメントにおける第1のサブフレームであることを判定することと、第1のサブフレームのサブフレーム番号を既定の第2のサブフレーム番号に設定することであって、第2のサブフレーム番号は、第1のサブフレームまたは第1のサブフレームとの既定の写像関係を満足するサブフレーム1が第1の時間セグメントに属することを表すために使用される、設定することと、第2のサブフレーム番号に従って、第1のサブフレームのデータ送信を判定することと、を行うように特に構成される。
【００９６】
場合により、プロセッサ17は、現サブフレームのデータ送信を判定する前に、第2の上りリンク／下りリンク構成を取得するようにさらに構成される。
【００９７】
プロセッサ17は、第2のサブフレーム番号と第2の上りリンク／下りリンク構成とに従って、第1のサブフレームのデータ送信を判定するように特に構成される。
【００９８】
場合により、プロセッサ17は、現サブフレームのデータ送信を判定する前に、第2の上りリンク／下りリンク構成を取得することと、現サブフレームが第1の時間セグメントにおける第1のサブフレームであることを判定することと、第2の上りリンク／下りリンク構成に従って、第1のサブフレームのデータ送信を判定することと、を行うようにさらに構成される。
【００９９】
場合により、通信装置はUEであり、写像関係はフィードバック関係である。
【０１００】
プロセッサ17は、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定するように特に構成される。
【０１０１】
これに伴い、通信装置がUEである場合、送信機15は、プロセッサ17が判定した第1の上りリンクサブフレームにおいて上りリンクデータを基地局に送信し、かつ上りリンクデータを送信キャッシュに格納するようにさらに構成される。
【０１０２】
プロセッサ17は、送信機15が送信した上りリンクデータを基地局が正しく受信することを判定するようにさらに構成される。
【０１０３】
場合により、通信装置は、UEである。
【０１０４】
プロセッサ17は、上りリンクデータを基地局が正しく受信しないことを判定した後、第3の下りリンクサブフレームにおいて受信されたスケジューリング情報において運ばれるキャリアインディケータフィールド（CIF）を判定することであって、CIFは、上りリンクデータのプロセスIDを運ぶ、判定することと、プロセスIDに従って、送信機15が第1の上りリンクサブフレームにおいて上りリンクデータを基地局に送信することを判定することであって、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである、判定することと、を行うようにさらに構成される。
【０１０５】
場合により、通信装置は基地局であり、写像関係はフィードバック関係である。
【０１０６】
プロセッサ17は、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定するように特に構成される。
【０１０７】
場合により、通信装置が基地局である場合、プロセッサ17は、受信機16が第1の上りリンクサブフレームにおける上りリンクデータを正しく受信した後、第2の下りリンクサブフレームにおけるフィードバック情報をUEに送信することを省略することを判定するようにさらに構成される。
【０１０８】
場合により、プロセッサ17は、受信機16が第1の上りリンクサブフレームにおける上りリンクデータを正しく受信しない場合、送信機15が第3の下りリンクサブフレームにおいてスケジューリング情報を送信することを判定するようにさらに構成され、スケジューリング情報は、第3の上りリンクサブフレームをスケジューリングするために使用され、スケジューリング情報は、CIFを運び、CIFは、上りリンクデータのプロセスIDを運ぶ。
【０１０９】
場合により、通信装置は、UEまたは基地局である。
【０１１０】
本発明の本実施形態は、通信装置を提供する。通信装置が、現サブフレームが第1の時間セグメントに属することを判定した場合、通信装置は、現サブフレームのデータ送信を判定し、第1の時間セグメントは、セカンダリコンポーネントキャリアに対するスケジューリングが許可される時間セグメント、すなわち、周波数リソースが利用可能である時間セグメントである。周波数リソースが利用可能である時間セグメントにおける、すべてのサブフレームにおいて正常なデータ送信が行われ得ることを判定することによって、通信装置は、基地局とUEとの間で正常な通信を確保し、それによって、基地局とUEとの間の通信効率が改善される。
【０１１１】
実施形態3
本発明の本実施形態は、データ送信を判定するための方法を提供する。図8に示すように、本方法は、以下のステップを含む。
【０１１２】
S101．通信装置は、現サブフレームが第1の時間セグメントに属することを判定し、第1の時間セグメントは、セカンダリコンポーネントキャリアに対するスケジューリングが許可される時間セグメントである。
【０１１３】
LTE-A（Long Term Evolution-Advanced、ロングタームエボリューションアドバンスト）システムは、3GPP LTE（The 3rd Generation Partnership Project Long Term Evolution、第3世代パートナーシッププロジェクトロングタームエボリューション）システムのさらに発展および拡張されたシステムである。LTE-Aシステムでは、第4世代通信技術のピークデータレートにおける国際電気通信連合の要件を満足するために、CA（Carrier Aggregation、キャリアアグリゲーション）技術が導入されている。CA技術では、2つ以上のコンポーネントキャリア（Component Carrier）の周波数スペクトルが束ねられて、より大きい送信帯域幅を取得する。コンポーネントキャリアの周波数スペクトルは、互いに隣接する連続する周波数スペクトルであってもよいし、同じ帯域において互いに隣接しない周波数スペクトルであってもよいし、さらには異なる帯域における連続しない周波数スペクトルであってもよい。LTE-Aユーザ機器は、ユーザ機器の能力とサービス要件とに応じて、複数のコンポーネントキャリアに同時にアクセスして、データを送信および受信し得る。
【０１１４】
既存のCAシステムでは、同じ基地局にあるキャリアが束ねられる、または理想的なバックホールを有するマクロセルおよびマイクロセルのキャリアが束ねられる。例えば、マクロセルおよびマイクロセルは、光ファイバを用いて接続される（マイクロセルはまた、無線周波数無線装置であってよい）。このように、基地局は、複数のコンポーネントキャリアで運ばれるすべての情報を適時取得でき、また基地局は、複数のコンポーネントキャリアに対してジョイントスケジューリングを行うことができる。
【０１１５】
本発明の本実施形態において提供されるデータ送信を判定するための方法は、セカンダリコンポーネントキャリアにおいて基地局とUEとの間でデータ送信を行うプロセスであることに留意されたい。本方法は、任意のセカンダリコンポーネントキャリアにおいてデータ送信を行うプロセスに適用されてよく、本発明において具体的に限定されるものではない。
【０１１６】
本発明の本実施形態において、基地局は、UEのために1つのプライマリコンポーネントキャリアと少なくとも1つのセカンダリコンポーネントキャリアとを構成し、かつそのプライマリコンポーネントキャリアとその少なくとも1つのセカンダリコンポーネントキャリアとを使用してデータ送信を行うことができる。本発明の本実施形態において、LTEキャリアは、免許不要帯域に配備され、そのLTEキャリアは、本発明において提供されるデータ送信を判定するための方法におけるセカンダリコンポーネントキャリアとして使用される。免許不要帯域は、基地局がデータ送信を行うことができる専用キャリアではないパブリックな周波数帯域を指す。したがって、本発明では、セカンダリコンポーネントキャリアにおいてデータ送信を行うために基地局とUEとが使用する周波数リソースは、非連続であり得る。異なる基地局が1つのセカンダリコンポーネントキャリアを使用してデータを送信する場合、これらの基地局は、基地局がセカンダリコンポーネントキャリア上でデータを送信し得る時間セグメントを取得するために互いに競合する必要がでてくる。
【０１１７】
TDD-LTE（Time Division Long Term Evolution、時分割複信ロングタームエボリューション）システムでは、1つのフレームは、10のサブフレームを含むことに留意されたい。10のサブフレームにおいて、いくつかのサブフレームは上りリンクサブフレームであり、いくつかのサブフレームは下りリンクサブフレームであり、あるいは特別なサブフレームがあってもよく、特別なサブフレームは、上りリンクチャネルと下りリンクチャネルとの両方を含む。FDD-LTE（Frequency Division Duplexing Long Term Evolution、周波数分割複信ロングタームエボリューション）システムでは、1つの上りリンク無線フレームは、10の上りリンクサブフレームを含み、1つの下りリンク無線フレームは、10の下りリンクサブフレームを含む。FDD-LTEシステムでは、上りリンクと下りリンクとは分離され、異なる周波数を使用する。基地局は、データをUEに送信するために、下りリンクサブフレームまたは特別なサブフレームにおいて下りリンクチャネルを送信し、UEは、データを基地局に送信するために、上りリンクサブフレームまたは特別なサブフレームにおいて上りリンクチャネルを送信する。
【０１１８】
実際のアプリケーションにおいては、TDD-LTEシステムでは、TDDフレームにおける10のサブフレームのサブフレーム番号は、jであり、jの値は、0から9の整数であることが前提とされている。j＋1が9より大きい場合、サブフレームj＋1は、（j＋1） mod 10の番号を付与され、j−1が0未満である場合、サブフレームj−1は、（j−1） mod 10の番号を付与される。
【０１１９】
TDD-LTEシステムでは、各フレームのサブフレームに0〜9の番号を付与される、すなわち、各フレームのサブフレーム番号は、0〜9であることが理解されよう。
【０１２０】
具体的には、TDD-LTEシステムでは、上りリンクと下りリンクとの間の異なる構成に従って、7つの上りリンク／下りリンク構成があり得る。1つのサブフレームは、1ミリ秒を有し、1つのフレームは10ミリ秒を有する。5ミリ秒で一区切りの場合、3つの上りリンク／下りリンク構成、すなわち、下りリンク：上りリンク＝2：3、下りリンク：上りリンク＝3：2、および 下りリンク：上りリンク＝4：1がある。10ミリ秒で一区切りの場合、4つの上りリンク／下りリンク構成、すなわち、下りリンク：上りリンク＝5：5、下りリンク：上りリンク＝7：3、下りリンク：上りリンク＝8：2、および下りリンク：上りリンク＝9：1がある。
【０１２１】
現サブフレームが第1の時間セグメントに属することを判定する前であって、第1の時間セグメントは、セカンダリコンポーネントキャリアに対するスケジューリングが許可される時間セグメントである、判定する前に、通信装置は、セカンダリコンポーネントキャリアに対するスケジューリングが許可される時間セグメントに関する情報を判定し、セカンダリコンポーネントキャリアは、通信装置が通信を行う場合に使用されるセカンダリコンポーネントキャリアであり、セカンダリコンポーネントキャリアに対するスケジューリングが許可される時間セグメントに関する情報は、セカンダリコンポーネントキャリアに対するスケジューリングが許可される第1の時間セグメントを含むことに留意されたい。
【０１２２】
本発明の本実施形態において提供されるデータ送信を判定するための方法は、TDD-LTEシステムに主に適用される。通信装置は、セカンダリコンポーネントキャリアに対するスケジューリングが許可される時間セグメントに関する情報を判定し、セカンダリコンポーネントキャリアは、通信装置が通信を行う場合に使用されるセカンダリコンポーネントキャリアであり、セカンダリコンポーネントキャリアに対するスケジューリングが許可される時間セグメントに関する情報は、セカンダリコンポーネントキャリアに対するスケジューリングが許可される第1の時間セグメントを含む。
【０１２３】
場合により、本発明の本実施形態における通信装置は、UEまたは基地局であり得る。通信装置がUEである場合、基地局は、セカンダリコンポーネントキャリアに対するスケジューリングが許可される、開始点および終了点、またはセカンダリコンポーネントキャリアに対するスケジューリングが停止される、開始点および終了点のうちの少なくとも1つをUEに通知する。UEは、セカンダリコンポーネントキャリアに対するスケジューリングが許可される、開始点および終了点、またはセカンダリコンポーネントキャリアに対するスケジューリングが停止される、開始点および終了点のうちの少なくとも1つに従って、セカンダリコンポーネントキャリアに対するスケジューリングが許可される時間セグメントに関する情報を判定し得る。セカンダリコンポーネントキャリアに対するスケジューリングが許可される時間セグメントに関する情報は、セカンダリコンポーネントキャリアに対するスケジューリングが許可される第1の時間セグメントを含む。通信装置が基地局である場合、基地局は、セカンダリコンポーネントキャリアに対するスケジューリングが許可される時間セグメントに関する情報を自ら判定し得る。
【０１２４】
基地局が、セカンダリコンポーネントキャリアに対するスケジューリングが許可される、開始点および終了点、またはセカンダリコンポーネントキャリアに対するスケジューリングが停止される、開始点および終了点のうちの少なくとも1つをUEに通知する方法は、基地局が、プライマリコンポーネントキャリアまたは別のセカンダリコンポーネントキャリアを使用して、通知メッセージをUEに送信することであり得ることに留意されたい。通知メッセージを送信する方式は、PDCCHまたはメディアアクセス制御MAC（Media Access Control、メディアアクセス制御）層を使用して通知することである。
【０１２５】
例示的には、基地局は、PDCCHを使用して、通知メッセージをUEに送信でき、通知メッセージは、セカンダリコンポーネントキャリアに対するスケジューリングが停止される、開始点および終了点を運ぶ。図9に示すように、周波数リソースを利用できない時間セグメントにおいて、1の番号を付与したサブフレームが、セカンダリコンポーネントキャリアに対するスケジューリングが停止される開始点であり、5の番号を付与したサブフレームが、セカンダリコンポーネントキャリアに対するスケジューリングが停止される終了点である。1の番号を付与したサブフレームから5の番号を付与したサブフレームまでの時間セグメントが、第2の時間セグメントである。第2の時間セグメントは、スケジューリングを行うことができない時間セグメントである。セカンダリコンポーネントキャリアが置かれている周波数スペクトルにある時間セグメントでは、第2の時間セグメントを除く時間セグメントが、第1の時間セグメントである、すなわち、周波数リソースを利用できない時間セグメントを除く時間セグメントが、周波数リソースが利用可能である時間セグメントである。
【０１２６】
具体的には、セカンダリコンポーネントキャリアに対するスケジューリングが許可される第1の時間セグメントを判定した後、通信装置は、現サブフレームが第1の時間セグメントに属することを判定する。
【０１２７】
第1の時間セグメントが、周波数リソースが利用可能である時間セグメントであり、通信装置が、周波数リソースが利用可能である時間セグメントのみにおいてデータ送信を行うことができることが理解されよう。
【０１２８】
例示的には、図1に示すように、第1の時間セグメントは、周波数リソースが利用可能である時間セグメントである。
【０１２９】
S102．通信装置は、現サブフレームのデータ送信を判定する。
【０１３０】
現サブフレームが第1の時間セグメントに属することを判定した後、通信装置は、現サブフレームのデータ送信を判定する。
【０１３１】
一般的に、上りリンクデータは、上りリンクサブフレームにおいて送信でき、下りリンクデータは、下りリンクサブフレームにおいて送信できることに留意されたい。
【０１３２】
本発明の本実施形態において提供されるデータ送信を判定するための方法では、通信装置は、第1の時間セグメントに属する各現サブフレームにおいて、正常なデータ送信が行われ得ることを判定し、その結果、周波数リソースが第1の時間セグメントに属するサブフレームにおいてデータ送信を行うために十分に使用され得ることが理解されよう。具体的には、本実施形態の後半部分は、通信装置が現サブフレームのデータ送信を判定する方法を詳述する。
【０１３３】
具体的には、図10に示すように、S101は、S1011〜S1013を特に含み、S102は、S1021〜S1022を特に含み、それらは以下の通りである。
【０１３４】
S1011．通信装置は、現サブフレームが第1の時間セグメントにおける第1のサブフレームであることを判定する。
【０１３５】
通信装置は、現サブフレームが第1の時間セグメントにおける第1のサブフレームであることを判定する。
【０１３６】
具体的には、セカンダリコンポーネントキャリアに対するスケジューリングが許可されるの時間セグメントに関する情報に従って、通信装置は、現サブフレームが第1の時間セグメントにおける第1のサブフレームであることを判定する。
【０１３７】
例示的には、第1の時間セグメントが1の番号を付与したサブフレームから5の番号を付与したサブフレームまでの時間セグメントである場合、1の番号を付与したサブフレームは、第1の時間セグメントにおける第1のサブフレームである。
【０１３８】
S1012．通信装置は、第1のサブフレームのサブフレーム番号を既定の第2のサブフレーム番号に設定し、第2のサブフレーム番号は、第1のサブフレームまたは第1のサブフレームとの既定の写像関係を満足するサブフレーム1が第1の時間セグメントに属することを表すために使用される。
【０１３９】
現サブフレームが、第1の時間セグメントにおける第1のサブフレームであることを判定した後、通信装置は、第1のサブフレームのサブフレーム番号を既定の第2のサブフレーム番号に設定する。第2のサブフレーム番号は、第1のサブフレームまたは第1のサブフレームとの既定の写像関係を満足するサブフレーム1が第1の時間セグメントに属することを表すために使用される。
【０１４０】
本発明の本実施形態における第2のサブフレーム番号は、通信装置において予め設定されたサブフレーム番号であってもよいし、サブフレーム番号を設定する際に通信装置が取得したサブフレーム番号であってもよいことに留意されたい。具体的な設定方式は、本発明において限定されるものではない。
【０１４１】
例えば、現サブフレームが、8の番号を付与したサブフレームであることを判定した後、すなわち、現サブフレームが、第1の時間セグメントにおける第1のサブフレームであることを判定した後、通信装置は、現サブフレームのサブフレーム番号を2の番号を付与したサブフレームに設定する。
【０１４２】
第2のサブフレーム番号は、第1の時間セグメントにおける第1のサブフレームからの各サブフレームが使用され得るように設定され、その結果、周波数リソースが適切に使用されることが理解されよう。したがって、第2のサブフレーム番号は、第1のサブフレームまたは第1のサブフレームとの既定の写像関係を満足するサブフレーム1が第1の時間セグメントに属することを表すために使用される。第1の時間セグメントにおける第1のサブフレームのサブフレーム番号を第2のサブフレーム番号に設定した後、これに応じて第1のサブフレーム後のサブフレームのサブフレーム番号が変更され、このことは、サブフレーム番号付与ソフトウェアによって実現される。
【０１４３】
S1013．通信装置は、第2の上りリンク／下りリンク構成を取得する。
【０１４４】
通信装置は、現サブフレームが第1の時間セグメントにおける第1のサブフレームであることを判定した後、第2の上りリンク／下りリンク構成を取得する。
【０１４５】
場合により、本発明の本実施形態における第2の上りリンク／下りリンク構成は、通信装置において予め設定された上りリンク／下りリンク構成であってもよいし、通信装置が取得した上りリンク／下りリンク構成であってもよい。具体的な設定方式は、本発明において限定されるものではない。
【０１４６】
さらに、通信装置が基地局である場合、基地局は、既定または予め構成された第2の上りリンク／下りリンク構成を確認する。通信装置がUEである場合、基地局は、第2の上りリンク／下りリンク構成をUEに通知するために通知メッセージをUEに送信する。通知メッセージを送信する方式は、PDCCHまたはメディアアクセス制御MAC層を使用して通知することである。
【０１４７】
S1012とS1013とは、S1011後の2つの任意のステップである、すなわち、S1011後、S1012が実行されてもよいし、S1013が実行されてもよいことに留意されたい。
【０１４８】
S1021．通信装置は、第2のサブフレーム番号に従って、第1のサブフレームのデータ送信を判定する。
【０１４９】
第1のサブフレームのサブフレーム番号を第2のサブフレーム番号に設定した後、通信装置は、第2のサブフレーム番号に従って、第1のサブフレームのデータ送信を判定する。
【０１５０】
第2のサブフレーム番号は、現サブフレームのデータ送信に関する情報を識別するために使用されることに留意されたい。第2のサブフレーム番号は、既定である。データ送信に関する情報は、データ送信の方向を表すために使用される。通信装置は、第2のサブフレーム番号によって識別したデータ送信に関する情報に従って、現サブフレームのデータ送信を判定し得る。
【０１５１】
例示的には、第1の時間セグメントにおける第1のサブフレームの第2のサブフレーム番号が0であり、かつ0の番号を付与したサブフレームが下りリンクサブフレームである場合、通信装置は、第1のサブフレームにおいて下りリンクデータを送信することを判定する。
【０１５２】
S1022．通信装置は、第2の上りリンク／下りリンク構成に従って、第1のサブフレームのデータ送信を判定する。
【０１５３】
第2の上りリンク／下りリンク構成を取得した後、通信装置は、第2の上りリンク／下りリンク構成に従って、第1のサブフレームのデータ送信を判定する。
【０１５４】
サブフレームにおいて送信されるデータのサブフレーム番号とタイプとは、第2の上りリンク／下りリンク構成に従って確認できることに留意されたい。したがって、通信装置は、新しい第2の上りリンク／下りリンク構成に従って、現サブフレームのデータ送信を判定し得る。
【０１５５】
S1021は、S1012後のステップであり、S1022は、S1013後のステップであることに留意されたい。
【０１５６】
さらに、図11に示すように、S1012とS1013との間における実行の順番は、本発明の本実施形態において限定されるものではない。すなわち、本発明の本実施形態において、S1012は、S1013の前に実行されてもよいし、S1013は、S1012の前に実行されてもよいし、S1012とS1013とは、同時に実行されてもよい。
【０１５７】
場合により、図11に示すように、S1021とS1022とは、具体的には、S1023であってよい。
【０１５８】
S1023．通信装置は、第2のサブフレーム番号と第2の上りリンク／下りリンク構成とに従って、第1のサブフレームのデータ送信を判定する。
【０１５９】
通信装置は、現サブフレームのサブフレーム番号を第2のサブフレーム番号に設定し、第2の上りリンク／下りリンク構成を取得した後、通信装置は、第2のサブフレーム番号と第2の上りリンク／下りリンク構成とに従って、第1のサブフレームのデータ送信を判定する。
【０１６０】
TDD-LTEシステムでは7つの上りリンク／下りリンク構成があることが理解されよう。通信装置がデータを送信するプロセスにおいて異なる構成関係が使用される場合、通信装置は、現サブフレームのサブフレーム番号を変える、または現上りリンク／下りリンク構成を変えるだけでは、現サブフレームにおいてデータ送信を行うことができないことがある。この場合には、通信装置は、現サブフレームのサブフレーム番号と現上りリンク／下りリンク構成との両方を変更してよく、その結果、データ送信を現サブフレームにおいて確実に行うことができ、それによって、周波数リソースの適切な使用を達成する。
【０１６１】
例えば、図12に示すように、周波数リソースが利用可能である第1の時間セグメントにおいて、現セカンダリコンポーネントキャリアによって支持される上りリンク／下りリンク構成が下りリンク：上りリンク＝3：2であることを一例として用いる。通信装置は、現サブフレームが第1の時間セグメントにおける第1のサブフレーム、すなわち、7の番号を付与した第1のサブフレームであることを判定することを前提としている。7の番号を付与した第1のサブフレームは、上りリンクサブフレームである。7の番号を付与した第1のサブフレームがスケジューリングされる4の番号を付与したサブフレームは、周波数リソースが利用できない第2の時間セグメントにあり、したがって、7の番号を付与した第1のサブフレームにおいて、上りリンクデータ送信を行うことができない。通信装置は、7の番号を付与した第1のサブフレームのサブフレーム番号を8に設定し、かつ現上りリンク／下りリンク構成を4：1に設定し、その結果、通信装置は、2の番号を付与したサブフレームを8の番号を付与したサブフレームにスケジューリングできる、すなわち、通信装置は、下りリンクデータを現サブフレームすなわち8の番号を付与したサブフレームにおいて送信することを判定する。
【０１６２】
さらに、図13に示すように、本発明の本実施形態は、データ送信を判定するための方法をさらに提供し、本方法は、S201〜S204を含む。
【０１６３】
S201．通信装置は、セカンダリコンポーネントキャリアに対するスケジューリングが許可される時間セグメントに関する情報を判定し、セカンダリコンポーネントキャリアは、通信装置が通信を行う場合に使用されるセカンダリコンポーネントキャリアであり、セカンダリコンポーネントキャリアに対するスケジューリングが許可される時間セグメントに関する情報は、セカンダリコンポーネントキャリアに対するスケジューリングが許可される第1の時間セグメントを含む。
【０１６４】
具体的には、セカンダリコンポーネントキャリアに対するスケジューリングが許可される時間セグメントに関する情報を通信装置が判定するプロセスと関連説明については、本発明の本実施形態におけるS101の関連説明を参照できる。ここでは細部を繰り返し説明しない。
【０１６５】
S202．通信装置は、既定の第1の上りリンク／下りリンク構成を取得する。
【０１６６】
通信装置がデータ送信を行うプロセスでは、通信装置は、既定の第1の上りリンク／下りリンク構成に従って、各サブフレームのデータ送信を判定する。
【０１６７】
具体的には、通信装置が基地局である場合、第1の上りリンク／下りリンク構成は、基地局によって確認され、通信装置がUEである場合、第1の上りリンク／下りリンク構成は基地局によってUEに通知される。
【０１６８】
本発明の本実施形態における第1の上りリンク／下りリンク構成は、基地局とUEとの間で通信が行われる場合に使用される既定の上りリンク／下りリンク構成であることが理解されよう。
【０１６９】
S201とS202との間における実行の順番は、本発明の本実施形態において限定されるものではないことに留意されたい。すなわち、S201は、S202の前に実行されてもよいし、S202は、S201の前に実行されてもよい。
【０１７０】
S203．通信装置は、現サブフレームが第1の時間セグメントに属し、かつ現サブフレームとの既定の写像関係を満足するサブフレーム1が第2の時間セグメントに属することを判定する。
【０１７１】
セカンダリコンポーネントキャリアに対するスケジューリングが許可される時間セグメントに関する情報を判定した後、通信装置は、現サブフレームが第1の時間セグメントに属し、かつ現サブフレームとの既定の写像関係を満足するサブフレーム1が第2の時間セグメントに属することを判定する。
【０１７２】
場合により、本発明の本実施形態における既定の写像関係は、スケジューリング関係またはフィードバック関係であり得る。
【０１７３】
基地局からUEに無線信号を送信するためには、いくらかの時間が必要とされ、UEは、上りリンクデータ送信の準備のためにいくらかの時間をさらに必要とし、上りリンクデータ送信の送信は、予測される、基地局による受信よりも先であることが必要とされることに留意されたい。したがって、3GPP LTEでは、到来する上りリンクデータの送信のスケジューリングに関する情報は、基地局に送信が到達する予測されるサブフレームの4サブフレーム前となるサブフレームで遅くとも送信される必要がある。すなわち、通信装置が上りリンクサブフレームにおいて上りリンクデータを送信する場合、通信装置が上りリンクサブフレームがスケジューリングされた下りリンクサブフレームにおいてスケジューリング情報を前もって送信した後にのみ、通信装置は、上りリンクサブフレームにおいて上りリンクデータを送信できる。
【０１７４】
例えば、基地局が、7の番号を付与した上りリンクサブフレームにおいて上りリンクデータを送信する必要があり、対応するスケジューリング情報は、基地局から3の番号を付与した下りリンクサブフレームにおいて送信される。3の番号を付与したサブフレームが上りリンクサブフレームである場合、対応するスケジューリング情報は、前もって送信される必要がある。下りリンクサブフレームでは、基地局は、同じ下りリンクサブフレームにおいて下りリンクデータ送信を通知する必要があり、上りリンクデータ送信は、上りリンクサブフレームにおいて行われる。すなわち、現サブフレームとサブフレーム1との間には少なくとも1つから3つのOFDMシンボルがある（一部の限られたケースでは、4つのOFDM（OFDM、直交周波数分割多重）シンボルがあり得る）。通常のサイクリックプレフィクスの場合では、各下りリンクサブフレームは、14のOFDMシンボルを含み、実際のデータ送信は、14のOFDMシンボルのうちの10から13のOFDMシンボルで行われ得る。
【０１７５】
S204．通信装置は、現サブフレームのデータ送信を判定する。
【０１７６】
具体的には、現サブフレームのデータ送信を通信装置が判定するプロセスと関連説明については、本発明の本実施形態におけるS102のステップと説明を参照できる。ここでは細部を繰り返し説明しない。
【０１７７】
具体的には、図14に示すように、S203は、S2031を特に含み、S204は、S2041を特に含み、それらは以下の通りである。
【０１７８】
S2031．写像関係がスケジューリング関係である場合、通信装置は、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定し、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定する。
【０１７９】
写像関係がスケジューリング関係である場合、第1の上りリンク／下りリンク構成を取得した後、通信装置は、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定し、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定する。
【０１８０】
例示的には、図12に示すように、現セカンダリコンポーネントキャリアによって支持される第1の上りリンク／下りリンク構成は、下りリンク：上りリンク＝3：2であることを一例として用いる。7の番号を付与した第1のサブフレームが現サブフレームであり、通信装置が基地局であることを前提としている。基地局は、第1の上りリンク／下りリンク構成と第1の時間セグメントとに従って、7の番号を付与した第1のサブフレームが第1の時間セグメントにおける第1の上りリンクサブフレームであることを判定し、基地局は、第1の上りリンク／下りリンク構成に従って、7の番号を付与した第1のサブフレームがスケジューリングされた第1の下りリンクサブフレームが、7の番号を付与した第1のサブフレームの前の、1の番号を付与したサブフレームであることを判定する。基地局は、第2の時間セグメントに従って、1の番号を付与したサブフレームが第2の時間セグメントに属することを判定する。
【０１８１】
S2041は、S2031の後に実行されることに留意されたい。
【０１８２】
S2041．通信装置は、下りリンクデータを第1の上りリンクサブフレームにおいて送信することを判定する。
【０１８３】
写像関係がスケジューリング関係である場合、通信装置が、第1の上りリンク／下りリンク構成に従って、現サブフレームが第1の上りリンクサブフレームであり、かつサブフレーム1が第1の上りリンクサブフレームとのスケジューリング関係を満足する第1の下りリンクサブフレームであることを判定し、第1の時間セグメントと第2の時間セグメントとに従って、第1の上りリンクサブフレームが第1の時間セグメントにおける上りリンクサブフレームであり、かつ第1の下りリンクサブフレームが第2の時間セグメントにおける下りリンクサブフレームであることを判定した後、通信装置は、第1の上りリンクサブフレームにおいて下りリンクデータを送信することを判定する。
【０１８４】
第1の上りリンクサブフレームがスケジューリングされる第1の下りリンクサブフレームは、第2の時間セグメントに属し、第2の時間セグメントは、周波数リソースを利用できない時間セグメントであり、したがって、通信装置は、第1の下りリンクサブフレームに第1の上りリンクサブフレームをスケジューリングできないことが理解されよう。結果として、上りリンクデータは、第1の上りリンクサブフレームでは送信できない。したがって、本発明の本実施形態において提案される、データ送信を判定するための方法では、上記の場合に第1の上りリンクサブフレームにおいて下りリンクデータを送信することが判定され、その結果、第1の上りリンクサブフレームにおいて周波数リソースを無駄にすることを防ぐ。
【０１８５】
上記実施形態における通信装置は、基地局またはUEであり得ることに留意されたい。
【０１８６】
基地局は、基地局とUEとの間でデータ送信を行うプロセスにおいてUEと相互作用することが理解されよう。したがって、基地局が、あるサブフレームで下りリンクデータをUEに送信しようとする場合、UEは、基地局が送信した下りリンクデータがそのサブフレームで受信される必要があることを確認する必要がある。同様に、UEが、あるサブフレームで上りリンクデータを基地局に送信しようとする場合、基地局は、UEが送信した上りリンクデータがそのサブフレームで受信される必要があることを確認する必要がある。
【０１８７】
さらに、図15に示すように、通信装置がUEである場合、上記S203は、S2032を特に含み、S204は、S2042を特に含み、S2042の後、本発明の本実施形態において提供されるデータ送信を判定するための方法は、S2051〜S2061をさらに含み、それらは具体的には以下の通りである。
【０１８８】
S2032．写像関係がフィードバック関係である場合、UEは、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定する。
【０１８９】
写像関係がフィードバック関係である場合、通信装置が、セカンダリコンポーネントキャリアに対するスケジューリングが許可される時間セグメントに関する情報を判定した後、UEは、第1の上りリンク／下りリンク構成に従って、現サブフレームが第1の上りリンクサブフレームであり、かつサブフレーム1が第1の上りリンクサブフレームとのフィードバック関係を満足する第2の下りリンクサブフレームであることを判定し、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定する。
【０１９０】
通信装置がデータを送信するプロセスでは、第1の上りリンクサブフレームにおいて上りリンクデータを送信した後、通信装置は、第1の上りリンクサブフレーム後の第2の下りリンクサブフレームにおいて、上りリンクデータが正常に送信されたかどうかに関するフィードバック情報を受信する必要があり、第2の下りリンクサブフレームは、第1の上りリンクサブフレームとのフィードバック関係を満足するサブフレームであることに留意されたい。
【０１９１】
例示的には、図9に示すように、現セカンダリコンポーネントキャリアによって支持される第1の上りリンク／下りリンク構成は、下りリンク：上りリンク＝3：2であることを一例として用いる。7の番号を付与した第1のサブフレームが現サブフレームであり、通信装置が基地局であることを前提としている。基地局は、第1の上りリンク／下りリンク構成と第1の時間セグメントとに従って、7の番号を付与した第1のサブフレームが第1の時間セグメントにおける第1の上りリンクサブフレームであることを判定し、基地局は、第1の上りリンク／下りリンク構成に従って、7の番号を付与した第1のサブフレームがフィードバックされた第2の下りリンクサブフレームが、7の番号を付与した第1のサブフレームの後の、1の番号を付与した第1のサブフレームであることを判定する。基地局は、第2の時間セグメントに従って、1の番号を付与した第1のサブフレームが第2の時間セグメントに属することを判定する。
【０１９２】
S2042は、S2032の後に実行されることに留意されたい。
【０１９３】
S2042．UEは、第1の上りリンクサブフレームにおいて上りリンクデータを基地局に送信し、かつ上りリンクデータを送信キャッシュに格納し、そしてUEは、基地局が上りリンクデータを正しく受信したことを判定する。
【０１９４】
写像関係がフィードバック関係である場合、UEが、第1の時間セグメントと第2の時間セグメントとに従って、第1の上りリンクサブフレームが第1の時間セグメントにおける上りリンクサブフレームであり、かつ第2の下りリンクサブフレームが第2の時間セグメントにおける下りリンクサブフレームであることを判定した後、UEは、第1の上りリンクサブフレームにおいて上りリンクデータを基地局に送信し、かつ上りリンクデータを送信キャッシュに格納し、そしてUEは、基地局が上りリンクデータを正しく受信したことを判定する。
【０１９５】
通信装置は、現サブフレームが第1の時間セグメントに属する第1の上りリンクサブフレームであることを判定し、したがって、UEは、第1の上りリンクサブフレームにおいて上りリンクデータを基地局に送信し得ることに留意されたい。本発明の本実施形態では、UEは、上りリンクデータを送信キャッシュに格納し、その結果、UEは、基地局が上りリンクデータを正しく受信しない場合に、送信キャッシュに格納された上りリンクデータを基地局に再送し得る。
【０１９６】
フィードバック情報がフィードバックされる現サブフレーム、すなわち、第1の上りリンクサブフレームのための第2の下りリンクサブフレームが周波数リソースを利用できない第2の時間セグメントに属する場合、UEは、上りリンクデータを基地局に送信した後、上りリンクデータを送信キャッシュに格納し、UEは、基地局が上りリンクデータを正しく受信したことを判定し、その結果、第2の下りリンクサブフレームを使用しても、基地局が送信したフィードバック情報をUEが受信できない場合、UEは、上りリンクデータが基地局によって正しく受信されたことを判定することが理解されよう。このようにして、UEは、上記フィードバック情報を待ち続ける必要がなく、別のプロセスのデータ送信を行い、その結果、周波数リソースが十分に使用される。
【０１９７】
S2051．UEは、第1の上りリンクサブフレームにおいて上りリンクデータを基地局に送信し、基地局が上りリンクデータを正しく受信しないことをUEが判定した場合、UEは、第3の下りリンクサブフレームにおいて受信されたスケジューリング情報において運ばれるCIF（キャリアインディケータフィールド）を判定し、CIFは、上りリンクデータのプロセスIDを運び、第3の下りリンクサブフレームは、第2の下りリンクサブフレーム後であり、かつ第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである。
【０１９８】
本発明の本実施形態において提供されるデータ送信を判定するための方法は、UEが上りリンクデータを送信するシナリオに適用され得ることに留意されたい。UEが第1の上りリンクサブフレームにおいて上りリンクデータを基地局に送信した場合、基地局が上りリンクデータを正しく受信しないことをUEが判定した場合、UEは、第3の上りリンクサブフレームとのスケジューリング関係を満足する第3の下りリンクサブフレームにおいて運ばれるCIFを判定し、CIFに従って、上りリンクデータを再送するためのプロセスIDを判定する。UEは、第3の上りリンクサブフレームで上りリンクデータを再送する。
【０１９９】
S2061．UEは、プロセスIDに従って、第3の上りリンクサブフレームで上りリンクデータを基地局に送信することを判定する。
【０２００】
UEが第1の上りリンクサブフレームにおいて上りリンクデータを基地局に送信した後、UEが、プロセスIDに従って、第3の上りリンクサブフレームで上りリンクデータを基地局に送信することを判定し、基地局が上りリンクデータを正しく受信しないことをUEが判定した場合、UEは、第3の上りリンクサブフレームとのスケジューリング関係を満足する第3の下りリンクサブフレームにおいて運ばれるCIFを判定し、CIFに従って、上りリンクデータをスケジューリングするためのプロセスIDを判定する。
【０２０１】
例示的には、図16に示すように、現セカンダリコンポーネントキャリアによって支持される第1の上りリンク／下りリンク構成は、下りリンク：上りリンク＝3：2であることを一例として用いる。UEは、2の番号を付与した第1のサブフレームにおいて上りリンクデータを基地局に送信するが、基地局が上りリンクデータを正しく受信しない。したがって、UEは、2の番号を付与した第2のサブフレームで上りリンクデータを再送する必要がある。図16から、2の番号を付与した第2のサブフレームは、第2の時間セグメントに属することがわかる。したがって、UEは、2の番号を付与した第2のサブフレームで上りリンクデータを再送できず、このことは、UEによる上りリンクデータの再送の遅延を引き起こし、通信効率に影響する。この場合、本発明の本実施形態において提供されるデータ送信を判定するための方法が使用される。現サブフレームは、2の番号を付与した第2のサブフレーム後であり、かつ第1の時間セグメントに属する、第1のスケジューリング可能な上りリンクサブフレームである、すなわち、第3の上りリンクサブフレーム、すなわち8の番号を付与したサブフレームであることを前提としている。UEは、8の番号を付与したサブフレームとのスケジューリング関係を満足する第3の下りリンクサブフレーム、すなわち、4の番号を付与したサブフレームにおいて運ばれるCIFを判定し、CIFに従って、上りリンクデータのプロセスIDを判定する。UEは、プロセスIDに従って、8の番号を付与した上りリンクサブフレームにおいて上りリンクデータを再送信してよい。
【０２０２】
基地局がUEが送信した上りリンクデータを正しく受信せず、かつ上りリンクデータを再送する必要がある場合、上りリンクデータが送信されるサブフレームに最も近い、スケジューリング可能な上りリンクサブフレームが上りリンクデータを再送するために判定でき、それによって、データ再送の効率が改善されることが理解されよう。
【０２０３】
さらに、図17に示すように、通信装置が基地局である場合、上記S203は、S2033を特に含み、S204は、S2043を特に含み、S2043の後、本発明の本実施形態において提供されるデータ送信を判定するための方法は、S2052〜S2062をさらに含み、それらは具体的には以下の通りである。
【０２０４】
S2033．写像関係がフィードバック関係である場合、基地局は、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定する。
【０２０５】
写像関係がフィードバック関係である場合、通信装置が第1の上りリンク／下りリンク構成を取得した後、基地局は、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定する。
【０２０６】
基地局がデータを送信するプロセスでは、第1の上りリンクサブフレームにおいて上りリンクデータを受信した後、基地局は、第1の上りリンクサブフレーム後の第2の下りリンクサブフレームにおいて、上りリンクデータが正常に送信されたかどうかに関するフィードバック情報を送信する必要があり、第2の下りリンクサブフレームは、第1の上りリンクサブフレームとのフィードバック関係を満足するサブフレームであることに留意されたい。
【０２０７】
例示的には、図9に示すように、現セカンダリコンポーネントキャリアによって支持される第1の上りリンク／下りリンク構成は、下りリンク：上りリンク＝3：2であることを一例として用いる。7の番号を付与した第1のサブフレームが現サブフレームであることを前提としている。基地局は、第1の上りリンク／下りリンク構成と第1の時間セグメントとに従って、7の番号を付与した第1のサブフレームが第1の時間セグメントにおける第1の上りリンクサブフレームであることを判定し、基地局は、第1の上りリンク／下りリンク構成に従って、7の番号を付与した第1のサブフレームがフィードバックされた第2の下りリンクサブフレームが、7の番号を付与した第1のサブフレームの後の、1の番号を付与した第1のサブフレームであることを判定する。基地局は、第2の時間セグメントに従って、1の番号を付与した第1のサブフレームが第2の時間セグメントに属することを判定する。
【０２０８】
S2043は、S2033の後に実行されることに留意されたい。
【０２０９】
S2043．基地局は、第1の上りリンクサブフレームにおいて、UEが送信した上りリンクデータを受信することを判定する。
【０２１０】
写像関係がフィードバック関係である場合、基地局が、現サブフレームが第1の上りリンクサブフレームであり、サブフレーム1が第1の上りリンクサブフレームに対応するフィードバック情報が置かれている第2の下りリンクサブフレームであり、第2の下りリンクサブフレームが第2の時間セグメントにおける下りリンクサブフレームであることを判定した後、基地局は、第1の上りリンクサブフレームにおいて、UEが送信した上りリンクデータを受信することを判定する。
【０２１１】
基地局は、第1の上りリンク／下りリンク構成に従って、第1の上りリンクサブフレームにおいて、UEが送信した上りリンクデータを受信することを判定し得ることに留意されたい。
【０２１２】
S2052．基地局は、第1の上りリンクサブフレームにおける上りリンクデータを正しく受信し、また基地局は、第2の下りリンクサブフレームにおけるフィードバック情報をUEに送信することを省略することを判定する。
【０２１３】
基地局が、第1の上りリンクサブフレームにおいて、UEが送信した上りリンクデータを受信することを判定した後、基地局が第1の上りリンクサブフレームにおける上りリンクデータを正しく受信した場合、基地局は、上りリンクの送信を終了するために、第2の下りリンクサブフレームにおけるフィードバック情報をUEに送信することを省略することを判定する。
【０２１４】
基地局が、サブフレーム1において、上りリンクデータを正しく受信した場合、UEは、サブフレーム1と同じサブフレーム番号を有し、かつサブフレーム1に最も近い、上りリンクサブフレームにおいて上りリンクデータを再送する必要はなく、したがって、基地局は、上りリンクデータの送信を直接終了できることが理解されよう。
【０２１５】
S2062．基地局は、基地局が第1の上りリンクサブフレームにおける上りリンクデータを正しく受信しない場合、第3の下りリンクサブフレームにおいてスケジューリング情報を送信することを判定し、スケジューリング情報は、第3の上りリンクサブフレームをスケジューリングするために使用され、スケジューリング情報は、CIFを運び、CIFは、上りリンクデータのプロセスIDを運ぶ。
【０２１６】
基地局が、第1の上りリンクサブフレームにおいて、UEが送信した上りリンクデータを受信することを判定した後、基地局が第1の上りリンクサブフレームにおいて上りリンクデータを正しく受信しない場合、基地局は、第3の下りリンクサブフレームにおいて、スケジューリング情報を送信することを判定し、スケジューリング情報は、第3の下りリンクサブフレームをスケジューリングするために使用され、スケジューリング情報は、上りリンクデータのプロセスIDと第3の上りリンクサブフレームのサブフレーム番号とを運び、第3の下りリンクサブフレームは、第2の下りリンクサブフレーム後であり、第3の上りリンクサブフレームがスケジューリングされる下りリンクサブフレームであり、第3の上りリンクサブフレームは、第1の時間セグメントにおける、第1の上りリンクサブフレーム後であり、そのサブフレーム番号が第1の上りリンクサブフレームのサブフレーム番号に最も近い上りリンクサブフレームである。
【０２１７】
基地局が第1の上りリンクサブフレームにおける上りリンクデータを正しく受信しなかった後、基地局は、第3の上りリンクサブフレームにおいて上りリンクデータを再送すること判定してよいことに留意されたい。
【０２１８】
S2052とS2062とは、S2043の後の、2つの並行するステップであることに留意されたい。本発明の本実施形態において、S2043〜S2052またはS2043〜S2062のいずれかを実行してよく、これは、具体的には実行条件に依存する。
【０２１９】
本発明の本実施形態は、データ送信を判定するための方法を提供する。通信装置が、現サブフレームが第1の時間セグメントに属することを判定した場合、通信装置は、現サブフレームのデータ送信を判定し、第1の時間セグメントは、セカンダリコンポーネントキャリアに対するスケジューリングが許可される時間セグメント、すなわち、周波数リソースが利用可能である時間セグメントである。周波数リソースが利用可能である時間セグメントにおける、すべてのサブフレームにおいて正常なデータ送信が行われ得ることを判定することによって、通信装置は、基地局とUEとの間で正常な通信を確保し、それによって、基地局とUEとの間の通信効率が改善される。
【０２２０】
説明を簡便にする目的で上記機能モジュールの分割が説明のための例として挙げられていることが、当業者には明確に理解されよう。実際の適用においては、上記各機能を、異なる機能モジュールに割り振り、要件に従って実装することができる、すなわち、装置の内部構造が上記の各機能の全部または一部を実装するための異なる機能モジュールに分割される。上記システム、装置およびユニットの詳細な動作プロセスについては、上記方法実施形態における対応するプロセスを参照でき、ここでは細部を繰り返し説明しない。
【０２２１】
本出願において提供されるいくつかの実施形態においては、開示のシステム、装置、および方法を他のやり方で実装することもできることを理解されたい。例えば、説明された装置実施形態は単なる例示にすぎない。例えば、モジュールまたはユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０２２２】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０２２３】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。統合ユニットはハードウェアの形態で実現することもでき、ソフトウェア機能ユニットの形態で実現することもできる。
【０２２４】
統合ユニットがソフトウェア機能ユニットの形態で実現され、独立した製品として販売される場合、統合ユニットは、コンピュータ可読記憶媒体に記憶することができる。そうした理解に基づき、本発明の技術解決策を本質的に、または従来技術に寄与する部分を、または技術的な解決策のすべてまたは一部を、ソフトウェア製品の形態で実現することができる。コンピュータソフトウェア製品は記憶媒体に記憶されており、（パーソナルコンピュータ、サーバ、もしくはネットワーク機器とすることができる）コンピュータデバイスまたはプロセッサ（processor）に、本発明の各実施形態で記述されている方法のステップの全部または一部を実行するよう命令するためのいくつかの命令を含む。上記記憶媒体は、USBフラッシュドライブ、取り外し可能ハードディスク、読取り専用メモリ（ROM、Read-Only Memory）、ランダム・アクセス・メモリ（RAM、Random Access Memory）、磁気ディスク、光ディスクといった、プログラムコードを記憶することができる任意の媒体を含む。
【０２２５】
上記の説明は、単に本発明の具体的な実施方式に過ぎず、本発明の保護範囲を限定することを意図するものではない。本発明において開示された技術的範囲内にあり、当業者によって容易に想到される、あらゆる変形や置き換えは、本発明の保護範囲内に含まれるものとする。したがって、本発明の保護範囲は、特許請求の範囲の保護範囲に属する。
【符号の説明】
【０２２６】
1  通信装置
10  判定ユニット
11  取得ユニット
12  設定ユニット
13  送信ユニット
14  受信ユニット
15  送信機
16  受信機
17  プロセッサ
18  メモリ
【図１】
2017522828.tif 000003
【図２】
2017522828.tif 000004
【図３】
2017522828.tif 000005
【図４】
2017522828.tif 000006
【図５】
2017522828.tif 000007
【図６】
2017522828.tif 000008
【図７】
2017522828.tif 000009
【図８】
2017522828.tif 000010
【図９】
2017522828.tif 000011
【図１０】
2017522828.tif 000012
【図１１】
2017522828.tif 000013
【図１２】
2017522828.tif 000014
【図１３】
2017522828.tif 000015
【図１４】
2017522828.tif 000016
【図１５】
2017522828.tif 000017
【図１６】
2017522828.tif 000018
【図１７】
2017522828.tif 000019
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
通信装置であって、
現サブフレームが第1の時間セグメントに属することを判定するように構成される判定ユニットであって、前記第1の時間セグメントは、セカンダリコンポーネントキャリアに対するスケジューリングが許可される時間セグメントである、判定ユニット
を備え、
前記判定ユニットは、前記現サブフレームのデータ送信を判定するようにさらに構成される、通信装置。
【請求項２】
前記判定ユニットは、前記現サブフレームが前記第1の時間セグメントに属し、かつ前記現サブフレームとの既定の写像関係を満足するサブフレーム1が第2の時間セグメントに属することを判定するように特に構成され、
前記第2の時間セグメントは、前記セカンダリコンポーネントキャリアに対するスケジューリングが停止される時間セグメントである、請求項1に記載の通信装置。
【請求項３】
取得ユニットをさらに備え、
前記取得ユニットは、前記判定ユニットが、前記現サブフレームが前記第1の時間セグメントに属し、かつ前記現サブフレームとの前記既定の写像関係を満足する前記サブフレーム1が前記第2の時間セグメントに属することを判定する前に、既定の第1の上りリンク／下りリンク構成を取得するように構成される、請求項2に記載の通信装置。
【請求項４】
前記写像関係は、スケジューリング関係であり、
前記判定ユニットは、
前記取得ユニットが取得した前記第1の上りリンク／下りリンク構成に従って、前記現サブフレームが第1の上りリンクサブフレームであり、かつ前記サブフレーム1が前記第1の上りリンクサブフレームとの前記スケジューリング関係を満足する第1の下りリンクサブフレームであることを判定することと、
前記取得ユニットが取得した前記第1の時間セグメントと前記第2の時間セグメントとに従って、前記第1の上りリンクサブフレームが前記第1の時間セグメントにおける上りリンクサブフレームであり、かつ前記第1の下りリンクサブフレームが前記第2の時間セグメントにおける下りリンクサブフレームであることを判定することと、
前記第1の上りリンクサブフレームにおいて下りリンクデータを送信することを判定することと、
を行うように特に構成される、請求項3に記載の通信装置。
【請求項５】
設定ユニットをさらに備え、
前記判定ユニットは、前記現サブフレームが前記第1の時間セグメントにおける第1のサブフレームであることを判定するように特に構成され、
前記設定ユニットは、前記判定ユニットが判定した前記第1のサブフレームのサブフレーム番号を既定の第2のサブフレーム番号に設定するように構成され、
前記第2のサブフレーム番号は、前記第1のサブフレームまたは前記第1のサブフレームとの既定の写像関係を満足するサブフレーム1が前記第1の時間セグメントに属することを表すために使用され、
前記判定ユニットは、前記設定ユニットが設定した前記第2のサブフレーム番号に従って、前記第1のサブフレームのデータ送信を判定するように特に構成される、請求項1に記載の通信装置。
【請求項６】
取得ユニットをさらに備え、
前記取得ユニットは、前記判定ユニットが前記現サブフレームの前記データ送信を判定する前に、第2の上りリンク／下りリンク構成を取得するように構成され、
前記判定ユニットは、前記設定ユニットが設定した前記第2のサブフレーム番号と前記取得ユニットが取得した前記第2の上りリンク／下りリンク構成とに従って、前記第1のサブフレームの前記データ送信を判定するように特に構成される、請求項5に記載の通信装置。
【請求項７】
取得ユニットをさらに備え、
前記取得ユニットは、前記判定ユニットが前記現サブフレームの前記データ送信を判定する前に、第2の上りリンク／下りリンク構成を取得するように構成され、
前記判定ユニットは、
前記現サブフレームが前記第1の時間セグメントにおける第1のサブフレームであることを判定することと、
前記取得ユニットが取得した前記第2の上りリンク／下りリンク構成に従って、前記第1のサブフレームのデータ送信を判定することと、
を行うように特に構成される、請求項1に記載の通信装置。
【請求項８】
前記通信装置は、UEであり、
前記写像関係は、フィードバック関係であり、
前記判定ユニットは、取得ユニットが取得した前記第1の時間セグメントと前記第2の時間セグメントとに従って、第1の上りリンクサブフレームが前記第1の時間セグメントにおける上りリンクサブフレームであり、かつ第2の下りリンクサブフレームが前記第2の時間セグメントにおける下りリンクサブフレームであることを判定するように特に構成され、
前記UEは、送信ユニットをさらに含み、
前記送信ユニットは、前記判定ユニットが判定した前記第1の上りリンクサブフレームにおいて上りリンクデータを基地局に送信し、かつ前記上りリンクデータを送信キャッシュに格納するように構成され、
前記判定ユニットは、前記送信ユニットが送信した前記上りリンクデータを前記基地局が正しく受信することを判定するようにさらに構成される、請求項2に記載の通信装置。
【請求項９】
前記判定ユニットは、
前記送信ユニットが送信した前記上りリンクデータを前記基地局が正しく受信しないことを判定した後、第3の下りリンクサブフレームにおいて受信されたスケジューリング情報において運ばれるキャリアインディケータフィールド（CIF）を判定することであって、前記CIFは、前記上りリンクデータのプロセスIDを運ぶ、判定することと、
前記プロセスIDに従って、前記送信ユニットが第3の上りリンクサブフレームにおいて前記上りリンクデータを前記基地局に送信することを判定することであって、前記第3の下りリンクサブフレームは、前記第2の下りリンクサブフレーム後であり、かつ前記第3の上りリンクサブフレームがスケジューリングされる下りリンクサブフレームであり、前記第3の上りリンクサブフレームは、前記第1の時間セグメントにおける、前記第1の上りリンクサブフレーム後であり、そのサブフレーム番号が前記第1の上りリンクサブフレームのサブフレーム番号に最も近い上りリンクサブフレームである、判定することと、
を行うようにさらに構成される、請求項8に記載の通信装置。
【請求項１０】
前記通信装置は、基地局であり、
前記写像関係は、フィードバック関係であり、
前記判定ユニットは、前記現サブフレームが第1の上りリンクサブフレームであり、前記サブフレーム1が前記第1の上りリンクサブフレームに対応するフィードバック情報が置かれている第2の下りリンクサブフレームであり、前記第2の下りリンクサブフレームが前記第2の時間セグメントにおける下りリンクサブフレームであることを判定するように特に構成される、請求項2に記載の通信装置。
【請求項１１】
前記基地局は、受信ユニットをさらに含み、
前記判定ユニットは、前記受信ユニットが前記第1の上りリンクサブフレームにおける上りリンクデータを正しく受信した後、前記第2の下りリンクサブフレームにおける前記フィードバック情報をUEに送信することを省略することを判定するようにさらに構成される、請求項10に記載の通信装置。
【請求項１２】
前記判定ユニットは、受信ユニットが前記第1の上りリンクサブフレームにおける上りリンクデータを正しく受信しない場合、送信ユニットが第3の下りリンクサブフレームにおいてスケジューリング情報を送信することを判定するようにさらに構成され、
前記スケジューリング情報は、第3の上りリンクサブフレームをスケジューリングするために使用され、
前記スケジューリング情報は、CIFを運び、
前記CIFは、前記上りリンクデータのプロセスIDを運ぶ、請求項10に記載の通信装置。
【請求項１３】
前記通信装置は、UEまたは基地局である、請求項1から7のいずれか一項に記載の通信装置。
【請求項１４】
データ送信を判定するための方法であって、
通信装置により、現サブフレームが第1の時間セグメントに属することを判定するステップであって、前記第1の時間セグメントは、セカンダリコンポーネントキャリアに対するスケジューリングが許可される時間セグメントである、ステップと、
前記通信装置により、前記現サブフレームのデータ送信を判定するステップと、
を含む、データ送信を判定するための方法。
【請求項１５】
通信装置により、現サブフレームが第1の時間セグメントに属することを判定する前記ステップは、
前記通信装置により、前記現サブフレームが前記第1の時間セグメントに属し、かつ前記現サブフレームとの既定の写像関係を満足するサブフレーム1が第2の時間セグメントに属することを判定するステップであって、前記第2の時間セグメントは、前記セカンダリコンポーネントキャリアに対するスケジューリングが停止される時間セグメントである、ステップ
を含む、請求項14に記載のデータ送信を判定するための方法。
【請求項１６】
前記通信装置により、前記現サブフレームが前記第1の時間セグメントに属し、かつ前記現サブフレームとの既定の写像関係を満足するサブフレーム1が第2の時間セグメントに属することを判定する前記ステップの前に、
前記通信装置により、既定の第1の上りリンク／下りリンク構成を取得するステップ
をさらに含む、請求項15に記載のデータ送信を判定するための方法。
【請求項１７】
前記写像関係は、スケジューリング関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記通信装置により、前記第1の上りリンク／下りリンク構成に従って、前記現サブフレームが第1の上りリンクサブフレームであり、かつ前記サブフレーム1が前記第1の上りリンクサブフレームとの前記スケジューリング関係を満足する第1の下りリンクサブフレームであることを判定するステップと、
前記第1の時間セグメントと前記第2の時間セグメントとに従って、前記第1の上りリンクサブフレームが前記第1の時間セグメントにおける上りリンクサブフレームであり、かつ前記第1の下りリンクサブフレームが前記第2の時間セグメントにおける下りリンクサブフレームであることを判定するステップと、
を含み、
これに伴い、前記通信装置により、前記現サブフレームのデータ送信を判定する前記ステップは、
前記通信装置により、前記第1の上りリンクサブフレームにおいて下りリンクデータを送信することを判定するステップ
を含む、請求項16に記載のデータ送信を判定するための方法。
【請求項１８】
通信装置により、現サブフレームが第1の時間セグメントに属することを判定する前記ステップは、
前記通信装置により、前記現サブフレームが前記第1の時間セグメントにおける第1のサブフレームであることを判定するステップ
を含み、
これに伴い、前記通信装置により、前記現サブフレームのデータ送信を判定する前記ステップは、
前記通信装置により、前記第1のサブフレームのサブフレーム番号を既定の第2のサブフレーム番号に設定するステップであって、前記第2のサブフレーム番号は、前記第1のサブフレームまたは前記第1のサブフレームとの既定の写像関係を満足するサブフレーム1が前記第1の時間セグメントに属することを表すために使用される、ステップと、
前記通信装置により、前記第2のサブフレーム番号に従って、前記第1のサブフレームのデータ送信を判定するステップと、
を含む、請求項14に記載のデータ送信を判定するための方法。
【請求項１９】
前記通信装置により、前記現サブフレームのデータ送信を判定する前記ステップの前に、
前記通信装置により、第2の上りリンク／下りリンク構成を取得するステップ
をさらに含み、
前記通信装置により、前記現サブフレームのデータ送信を判定する前記ステップは、
前記通信装置により、前記第2のサブフレーム番号と前記第2の上りリンク／下りリンク構成とに従って、前記第1のサブフレームの前記データ送信を判定するステップ
を含む、請求項18に記載のデータ送信を判定するための方法。
【請求項２０】
前記通信装置により、前記現サブフレームのデータ送信を判定する前記ステップの前に、
前記通信装置により、第2の上りリンク／下りリンク構成を取得するステップ
をさらに含み、
通信装置により、現サブフレームが第1の時間セグメントに属することを判定する前記ステップは、
前記通信装置により、前記現サブフレームが前記第1の時間セグメントにおける第1のサブフレームであることを判定するステップ
を含み、
これに伴い、前記通信装置により、前記現サブフレームのデータ送信を判定する前記ステップは、
前記通信装置により、前記第2の上りリンク／下りリンク構成に従って、前記第1のサブフレームのデータ送信を判定するステップ
を含む、請求項14に記載のデータ送信を判定するための方法。
【請求項２１】
前記通信装置は、UEであり、
前記写像関係は、フィードバック関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記UEにより、前記第1の時間セグメントと前記第2の時間セグメントとに従って、第1の上りリンクサブフレームが前記第1の時間セグメントにおける上りリンクサブフレームであり、かつ第2の下りリンクサブフレームが前記第2の時間セグメントにおける下りリンクサブフレームであることを判定するステップ
を含み、
これに伴い、前記通信装置により、前記現サブフレームのデータ送信を判定する前記ステップは、
前記UEにより、前記第1の上りリンクサブフレームにおいて上りリンクデータを基地局に送信し、かつ前記上りリンクデータを送信キャッシュに格納するステップと、
前記UEにより、前記上りリンクデータを前記基地局が正しく受信することを判定するステップと、
を含む、請求項15に記載のデータ送信を判定するための方法。
【請求項２２】
前記UEが前記第1の上りリンクサブフレームにおいて前記上りリンクデータを前記基地局に送信し、かつ前記UEが前記上りリンクデータを前記基地局が正しく受信しないことを判定した後に、
前記UEにより、第3の下りリンクサブフレームにおいて受信されたスケジューリング情報において運ばれるキャリアインディケータフィールド（CIF）を判定するステップであって、前記CIFは、前記上りリンクデータのプロセスIDを運び、前記第3の下りリンクサブフレームは、前記第2の下りリンクサブフレーム後であり、かつ第3の上りリンクサブフレームがスケジューリングされる下りリンクサブフレームであり、前記第3の上りリンクサブフレームは、前記第1の時間セグメントにおける、前記第1の上りリンクサブフレーム後であり、そのサブフレーム番号が前記第1の上りリンクサブフレームのサブフレーム番号に最も近い上りリンクサブフレームである、ステップと、
前記UEにより、前記プロセスIDに従って、前記第3の上りリンクサブフレームにおいて前記上りリンクデータを前記基地局に送信することを判定するステップと、
をさらに含む、請求項21に記載のデータ送信を判定するための方法。
【請求項２３】
前記通信装置は、基地局であり、
前記写像関係は、フィードバック関係であり、
前記通信装置により、前記現サブフレームが前記第1の時間セグメントに属し、かつ前記現サブフレームとの既定の写像関係を満足するサブフレーム1が第2の時間セグメントに属することを判定する前記ステップは、
前記基地局により、前記現サブフレームが第1の上りリンクサブフレームであり、前記サブフレーム1が前記第1の上りリンクサブフレームに対応するフィードバック情報が置かれている第2の下りリンクサブフレームであり、前記第2の下りリンクサブフレームが前記第2の時間セグメントにおける下りリンクサブフレームであることを判定するステップ
を含む、請求項15に記載のデータ送信を判定するための方法。
【請求項２４】
前記基地局により、前記基地局が前記第1の上りリンクサブフレームにおける上りリンクデータを正しく受信した後、前記第2の下りリンクサブフレームにおける前記フィードバック情報をUEに送信することを省略することを判定するステップ
をさらに含む、請求項23に記載のデータ送信を判定するための方法。
【請求項２５】
前記基地局により、前記基地局が前記第1の上りリンクサブフレームにおける上りリンクデータを正しく受信しない場合、第3の下りリンクサブフレームにおいてスケジューリング情報を送信することを判定するステップであって、前記スケジューリング情報は、第3の上りリンクサブフレームをスケジューリングするために使用され、前記スケジューリング情報は、CIFを運び、CIFは、前記上りリンクデータのプロセスIDを運ぶ、ステップ
をさらに含む、請求項23に記載のデータ送信を判定するための方法。
【請求項２６】
前記通信装置は、UEまたは基地局である、請求項14から20のいずれか一項に記載のデータ送信を判定するための方法。
【国際調査報告】
2017522828.tif 000020
2017522828.tif 000021
2017522828.tif 000022
2017522828.tif 000023